(57)【特許請求の範囲】
【請求項１】
ユーザの靴の靴ひもを選択的に調節するひも調節器アセンブリであって、
前記ユーザが前記ユーザの前記靴の前記靴ひもを選択的に調節することを可能にするようになされたひも調節器と、
前記ひも調節器に機械的に連結されたフィードバック・アセンブリであって、前記フィードバック・アセンブリは、運動動作の間、前記ユーザの垂直加速及び前記ユーザが向いている方向に対する方向情報のうちの少なくとも１つを感知する少なくとも１つのセンサを含むセンサ・アセンブリを含み、前記運動動作は、前記ユーザが運動活動に参加している間の前記ユーザの移動を含む、フィードバック・アセンブリと
を備え、
前記センサ・アセンブリは、前記少なくとも１つのセンサに電気的に結合されたコントローラを更に含み、前記コントローラはプロセッサを含み、前記コントローラは、前記少なくとも１つのセンサから前記垂直加速及び前記方向情報のうちの前記少なくとも１つを受信し、前記垂直加速及び前記方向情報のうちの前記少なくとも１つに少なくとも一部基づく第１の統計的データ点を生成するためにプログラムアルゴリズムを使用し、
前記センサ・アセンブリは、前記ユーザが前記ユーザの体重を入力できるように入力機構を更に含み、
前記コントローラは、前記入力機構に電気的に結合され、且つ、前記入力機構から前記ユーザの前記体重を受信し、
前記コントローラによって生成された前記第１の統計的データ点は、前記運動動作の間に前記ユーザによって消費されたエネルギー及び消費された力のうちの１つであって、前記第１の統計的データ点は、前記垂直加速及び前記方向情報のうちの前記少なくとも１つと前記ユーザの前記体重に少なくとも一部基づく、ひも調節器アセンブリ。
【請求項２】
前記少なくとも１つのセンサは、前記運動動作の間、前記ユーザの前記垂直加速及び前記方向情報の両方を感知する、請求項１に記載のひも調節器アセンブリ。
【請求項３】
前記センサ・アセンブリは、前記ユーザの前記垂直加速及び方向情報のうちの少なくとも１つを、遠隔装置に結合されたコントローラに無線で送信する送信機を更に含む、請求項１に記載のひも調節器アセンブリ。
【請求項４】
前記センサ・アセンブリは、前記第１の統計的データ点を、遠隔装置に結合された第２のコントローラに無線で送信する送信機を更に含む、請求項１に記載のひも調節器アセンブリ。
【請求項５】
前記コントローラは、前記少なくとも１つのセンサから前記垂直加速及び前記方向情報のうちの前記少なくとも１つを受信し、前記垂直加速及び前記方向情報のうちの前記少なくとも１つに少なくとも一部基づく第２の統計的データ点を生成するために前記プログラムアルゴリズムを使用し、前記第２の統計的データ点は、前記運動動作の間の、前記ユーザのジャンプの高さ、前記ジャンプの離陸速度及び垂直加速度のうちの１つを含む垂直突進、並びに実質的に垂直方向の軸の周りの回転移動のうちの１つを含む、請求項１に記載のひも調節器アセンブリ。
【請求項６】
前記少なくとも１つのセンサは、第１のセンサ及び第２のセンサを含み、前記第１のセンサ及び前記第２のセンサは、２軸加速度計、３軸加速度計、ジャイロメータ、速度センサ、及び磁力計の何れかであって、互いに異なる動作特性を感知し、前記コントローラは、前記第１のセンサによって感知された第１の動作特性及び前記第２のセンサによって感知された第２の動作特性に少なくとも一部基づく前記第１の統計的データ点を生成するために前記プログラムアルゴリズムを使用する、請求項１に記載のひも調節器アセンブリ。
【請求項７】
前記少なくとも１つのセンサは、第１のセンサ及び第２のセンサを含み、前記第１のセンサ及び前記第２のセンサは、２軸加速度計、３軸加速度計、ジャイロメータ、速度センサ、及び磁力計の何れかであって、互いに異なる動作特性を感知し、前記コントローラは、前記第１のセンサによって感知された第１の動作特性に少なくとも一部基づく前記第１の統計的データ点を生成するために前記プログラムアルゴリズムを使用し、前記コントローラは、前記第２のセンサによって感知された第２の動作特性に少なくとも一部基づく第２の統計的データ点を生成するために前記プログラムアルゴリズムを使用する、請求項１に記載のひも調節器アセンブリ。
【請求項８】
前記少なくとも１つのセンサは前記運動動作の間、前記ユーザの水平加速を更に感知する、請求項１に記載のひも調節器アセンブリ。
【請求項９】
前記少なくとも１つのセンサは２軸加速度計、３軸加速度計及び速度センサのうちの少なくとも１つを含む、請求項１に記載のひも調節器アセンブリ。
【請求項１０】
前記少なくとも１つのセンサは、前記運動動作の間、前記ユーザの位置に関連する空間の点における磁場の大きさ及び方向を計測する磁力計を更に含む、請求項９に記載のひも調節器アセンブリ。
【請求項１１】
前記少なくとも１つのセンサは、前記ユーザの正確な位置情報を提供するＧＰＳセンサを更に含み、前記ＧＰＳセンサからの前記位置情報は、遠隔装置に無線で送信される、請求項９に記載のひも調節器アセンブリ。
【請求項１２】
前記靴ひもは第１の端部及び第２の端部を含み、
前記ひも調節器は、
（ｉ）ロック解除構成とロック構成の間で選択的に移動可能な本体アセンブリであって、前記本体アセンブリが前記ロック解除構成の時に前記靴ひもは前記本体アセンブリに対して調節可能であり、前記本体アセンブリが前記ロック構成の時に前記靴ひもは前記本体アセンブリに対して調節可能でない、本体アセンブリと、
（ｉｉ）前記本体アセンブリに連結されたひも端部保持器であって、前記ひも端部保持器は前記靴ひもの前記第１の端部及び前記第２の端部をしっかりと保持し、前記靴ひもの前記第１の端部を受容する第１の受容部及び前記靴ひもの前記第１の端部をしっかりと保持する第１の保持部を含むひも端部保持器と
を含む、請求項１に記載のひも調節器アセンブリ。
【請求項１３】
ユーザの靴の靴ひもを選択的に調節するひも調節器アセンブリであって、
前記ユーザが前記ユーザの前記靴の前記靴ひもを選択的に調節することを可能にするようになされたひも調節器と、
前記ひも調節器に機械的に連結されたフィードバック・アセンブリであって、前記フィードバック・アセンブリは、（ｉ）運動動作の間、前記ユーザの垂直加速及び前記ユーザが向いている方向に対する方向情報のうちの少なくとも１つを感知する少なくとも１つのセンサを含むセンサ・アセンブリであって、前記運動動作は、前記ユーザが運動活動に参加している間の前記ユーザの移動を含む、センサ・アセンブリ、及び（ｉｉ）前記ユーザの前記運動動作を分析することを可能にするために、前記運動動作の間、前記ユーザの画像を取り込む画像取込みアセンブリを含み、前記垂直加速及び前記方向情報のうちの前記少なくとも１つに少なくとも一部基づく統計的データ点を生成するためにプログラムアルゴリズムを使用するフィードバック・アセンブリと
を備える、ひも調節器アセンブリ。
【請求項１４】
前記ひも調節器は、調節器本体と、前記調節器本体に選択的に結合された調節器カバーとを含み、前記画像取込みアセンブリは、前記調節器カバーに結合されている、請求項１３に記載のひも調節器アセンブリ。
【請求項１５】
前記画像取込みアセンブリは、前記ユーザの前記画像を記憶する記憶装置と、前記ユーザの前記画像を無線で遠隔画像装置に送信する送信機とを更に含む、請求項１３に記載のひも調節器アセンブリ。
【発明の詳細な説明】
【技術分野】
【０００１】
本出願は、２０１４年４月１４日付で出願された米国特許仮出願第６１／９７９，４９１号の「ひも調節器（ＬＡＣＥ  ＡＤＪＵＳＴＥＲ）」、２０１４年６月２７日付で出願された米国特許仮出願第６２／０１８，１９４号の「運動動作の計測に使用されるセンサ・アセンブリ（ＳＥＮＳＯＲ  ＡＳＳＥＭＢＬＹ  ＦＯＲ  ＵＳＥ  ＩＮ  ＭＥＡＳＵＲＩＮＧ  ＡＴＨＬＥＴＩＣ  ＰＥＲＦＯＲＭＡＮＣＥ）」、２０１４年８月２９日付で出願された米国特許仮出願第６２／０４３，８２２号の「運動動作の可視化及び計測に使用される画像アセンブリ及びセンサ・アセンブリ（ＩＭＡＧＥ  ＡＳＳＥＮＢＬＹ  ＡＮＤ  ＳＥＮＳＯＲ  ＡＳＳＥＭＢＬＹ  ＦＯＲ  ＵＳＥ  ＩＮ  ＶＩＳＵＡＬＩＺＩＮＧ  ＡＮＤ  ＭＥＡＳＵＲＩＮＧ  ＡＴＨＬＥＴＩＣ  ＰＥＲＦＯＲＭＡＮＣＥ）」に関連し、これらに基づく優先権を主張する。許可される程度まで、米国特許仮出願第６１／９７９，４９１号、第６２／０１８，１９４号、第６２／０４３，８２２号の内容が本明細書において参照として援用される。
【背景技術】
【０００２】
多くのスポーツ選手は、プロであれアマチュアであれ、本格的でもそうでなくても、彼らの運動動作を可視化及び／又は数値化することに大変関心がある。よって、そのようなスポーツ選手に、彼らの運動動作の様々な態様を効果的に可視化及び／又は測定できるようにし、その後に彼らの運動動作の独特の見解を考える及び／又は時間をかけて彼らの運動動作を改善する手段として使用され得る装置を提供することが望ましい。
【０００３】
それに加え、靴の靴ひもを調節する、締める及び解く（又は緩める）ことがしばしば必要となる。更に、靴ひもが靴を履いている人物にとって躓く潜在的な危険源とならないようにすることが更に望ましい。これは運動動作中のスポーツ選手に特に当てはまり得る。その理由は、解けた、締めすぎる若しくは緩すぎる、及び／又は躓く危険源になる靴ひもに関する問題は、次善の動作及び／又は負傷につながり得るためである。
【先行技術文献】
【特許文献】
【０００４】
【特許文献１】米国特許第８，１８１，３２０号明細書
【特許文献２】国際特許出願第ＰＣＴ／ＵＳ１３／６４００８号
【発明の概要】
【課題を解決するための手段】
【０００５】
本発明はユーザの靴の靴ひもを選択的に調節するようになされたひも調節器アセンブリを対象とする。様々な実施例において、ひも調節器アセンブリはひも調節器とフィードバック・アセンブリとを含む。ひも調節器はユーザの靴の靴ひもを選択的に調節するようになされる。フィードバック・アセンブリはひも調節器に結合される。更に、フィードバック・アセンブリは、（ｉ）運動動作の間、ユーザの統計的データを選択的に計測すること、及び（ｉｉ）運動動作の間、ユーザの画像を選択的に取り込むことのうちの１つを行うように構成される。
【０００６】
ある実施例において、フィードバック・アセンブリは、運動動作の間、ユーザの第１の動作特性を感知する第１のセンサと第１のセンサに電気的に結合されるコントローラとを含むセンサ・アセンブリを含み、コントローラはプロセッサを含む。そのような実施例において、コントローラは、第１のセンサから第１の動作特性を受信し、第１の動作特性に少なくとも一部基づく第１の統計的データ点を生成する。加えて、センサ・アセンブリは更に運動動作の間、ユーザの第２の動作特性を感知する第２のセンサを含む。そのようなある実施例において、コントローラは更に第２のセンサから第２の動作特性を受信し、第１の動作特性及び第２の動作特性に少なくとも一部基づく第１の統計的データ点を生成する。付加的及び／又は代替的に、そのような他の実施例において、コントローラは更に第２のセンサから第２の動作特性を受信し、第２の動作特性に少なくとも一部基づく第２の統計的データ点を生成する。
【０００７】
ある実施例において、第１のセンサは運動動作の間、ユーザの水平移動、垂直移動、及び角度のある移動の１つ又は複数を感知する。更に、第１のセンサは２軸加速度計、３軸加速度計及び速度センサのうちの１つであり得る。
【０００８】
更に、ある実施例では、フィードバック・アセンブリは運動動作の間、ユーザの画像を取り込む画像取込みアセンブリを含む。そのようなある実施例において、ひも調節器は、調節器本体と、調節器本体に選択的に結合される調節器カバーとを含み、画像取込みアセンブリは調節器カバーに結合される。そのようなある実施例において、画像取込みアセンブリは光学アセンブリ及び取込みシステムを含み、光学アセンブリは、取込みシステムがユーザの画像を取り込むことができるように取込みシステム上に光を集束する。ユーザの画像は静止画及び／又は動画であり得る。
【０００９】
ある実施例において、画像取込みアセンブリは更にユーザの画像を記憶する記憶装置と、ユーザの画像を無線で遠隔画像装置に送信する送信機とを含む。そのような実施例において、遠隔画像装置はユーザの画像を表示する画像表示画面を含み得る。
【００１０】
更に、ある実施例において、フィードバック・アセンブリは、（ｉ）運動動作の間、ユーザの統計的データを選択的に計測すること、及び（ｉｉ）運動動作の間、ユーザの画像を選択的に取り込むことの両方を行うように構成される。そのような実施例において、フィードバック・アセンブリは、（ｉ）運動動作の間、ユーザの第１の動作特性を感知する第１のセンサと、第１のセンサと電気的に結合され、プロセッサを含み、第１のセンサから第１の動作特性を受信し、第１の動作特性に少なくとも一部基づく第１の統計的データ点を生成するコントローラとを含むセンサ・アセンブリ、及び（ｉｉ）運動動作の間、ユーザの画像を取り込む画像取込みアセンブリを含み得る。
【００１１】
ある応用において、靴ひもは第１の端部及び第２の端部を含む。更に、ひも調節器は、（ｉ）ロック解除構成とロック構成との間で選択的に移動可能な本体アセンブリであって、靴ひもは本体アセンブリがロック解除構成の時に本体アセンブリに対して調節可能であり、靴ひもは本体アセンブリがロック構成の時に本体アセンブリに対して調節可能でない、本体アセンブリと、（ｉｉ）本体アセンブリに連結されたひも端部保持器であって、靴ひもの第１の端部及び第２の端部をしっかりと保持し、靴ひもの第１の端部を受容する第１の受容部及び靴ひもの第１の端部をしっかりと保持する第１の保持部を含むひも端部保持器を含み得る。
【００１２】
本発明は更に靴ひもと、靴ひもを選択的に調節するために靴ひもに結合される上記されたひも調節器アセンブリとを含む靴を対象とする。
【００１３】
更に、本発明は運動動作の間ユーザの統計的データを選択的に計測し、運動動作の間、ユーザの画像を選択的に取り込むための装置へ結合されるフィードバック・アセンブリも対象とし、フィードバック・アセンブリは、（ｉ）運動動作の間、ユーザの第１の動作特性を感知する第１のセンサと、第１のセンサに電気的に結合されるコントローラとを含むセンサ・アセンブリであって、コントローラはプロセッサを含み、第１のセンサから第１の動作特性を受信し、第１の動作特性に少なくとも一部基づく第１の統計的データ点を生成する、センサ・アセンブリと、（ｉｉ）運動動作の間、ユーザの画像を取り込む画像取込みアセンブリとを含む。
【００１４】
更に、本発明は靴の靴ひもを選択的に調節及び固定するひも調節器アセンブリを対象とし、靴ひもは第１の端部及び第２の端部を含み、ひも調節器アセンブリは、（ｉ）ロック解除構成とロック構成との間で選択的に移動可能な本体アセンブリであって、靴ひもは本体アセンブリがロック解除構成の時に本体アセンブリに対して調節可能であり、靴ひもは本体アセンブリがロック構成の時に本体アセンブリに対して調節可能でない、本体アセンブリと、（ｉｉ）本体アセンブリに連結されたひも端部保持器であって、靴ひもの第１の端部をしっかりと保持し、靴ひもの第１の端部を受容する第１の受容部及び靴ひもの第１の端部をしっかりと保持する第１の保持部を含むひも端部保持器とを含む。
【００１５】
本発明の新規な特徴及び発明自体の両方は、それらの構造及び動作について、添付の説明と併せて添付の図面から最もよく理解されるであろう。尚、同様の参照符号は同様の部品を示す。
【図面の簡単な説明】
【００１６】
【図１】靴ひもを有する靴の斜視図であり、本発明の特徴を有するひも調節器アセンブリの実施例であり、ひも調節器アセンブリはひも調節器と、ひも調節器に結合されたセンサ・アセンブリ及び画像取込みアセンブリとを含む。
【図２Ａ】図１に示されたひも調節器の実施例の斜視図である。
【図２Ｂ】図２Ａに示されたひも調節器の正面図である。
【図２Ｃ】図２Ａに示されたひも調節器の側面図である。
【図２Ｄ】図２Ａに示されたひも調節器の上面図である。
【図２Ｅ】図２Ｂのひも調節器のＥ−Ｅ線での断面図である。
【図２Ｆ】図２Ｃのひも調節器のＦ−Ｆ線での断面図である。
【図２Ｇ】図２Ａに示されたひも調節器の一部の斜視図である。
【図３】図１に示されたセンサ・アセンブリの実施例の簡単な概略図である。
【図４】図１に示されたセンサ・アセンブリの他の実施例の簡単な概略図である。
【図５】図１に示された画像取込みアセンブリの実施例の簡単な概略図である。
【図６Ａ】本発明の特徴を有するひも調節器アセンブリの他の実施例の斜視図である。
【図６Ｂ】図６Ａに示されたひも調節器アセンブリの前面図であって、ひも調節器アセンブリはロック解除構成にあるひも調節器を含む図である。
【図６Ｃ】図６Ａに示されたひも調節器アセンブリの前面図であって、ひも調節器がロック構成にある図である。
【図６Ｄ】図６Ａに示されたひも調節器アセンブリの前面図であって、ひも調節器が一部ロック構成にある図である。
【図６Ｅ】図６Ａに示されたひも調節器アセンブリの側面図である。
【図６Ｆ】図６Ａに示されたひも調節器アセンブリの後面図である。
【図６Ｇ】図６Ａに示されたひも調節器アセンブリの分解図である。
【図７Ａ】本発明の特徴を有するひも調節器アセンブリの更に他の実施例の前面斜視図であって、ひも調節器アセンブリはロック解除構成にあるひも調節器を含む図である。
【図７Ｂ】図７Ａに示されたひも調節器アセンブリの後面斜視図であって、ひも調節器がロック解除構成にある図である。
【図７Ｃ】図７Ａに示されたひも調節器アセンブリの前面斜視図であって、ひも調節器がロック構成にある図である。
【図７Ｄ】図７Ａに示されたひも調節器アセンブリの部分分解図である。
【発明を実施するための形態】
【００１７】
図１は靴ひも１１を有する靴１０の斜視図であり、本発明の特徴を有するひも調節器アセンブリ１２の実施例である。ひも調節器アセンブリ１２のデザインは所望の通りに変化され得る。例えば、図１に示される実施例では、ひも調節器アセンブリ１２は装置１４、即ちひも調節器と、ひも調節器１４に結合される本発明の特徴を有するセンサ・アセンブリ１６及び画像取込みアセンブリ１８（本明細書では簡単に「画像アセンブリ」とも言う）を含む。又は、ある非排他的な代替の実施例では、ひも調節器アセンブリ１２はセンサ・アセンブリ１６無しで、及び／又は画像アセンブリ１８無しでデザインされてもよい。
【００１８】
ある例では、センサ・アセンブリ１６及び画像アセンブリ１８は個別及び／又はまとめて「フィードバック・アセンブリ」１９と呼ばれ得る。異なる実施例では、上述のように、フィードバック・アセンブリ１９、即ちセンサ・アセンブリ１６及び／又は画像アセンブリ１８はひも調節器１４に結合され得る。例えば、ある実施例では、ひも調節器１４は調節器本体アセンブリ２２０（図２Ａによりはっきりと示される）及び調節器本体アセンブリ２２０に結合される調節器カバー２２６（図２Ａによりはっきりと示される）を含み得る。そのような一実施例において、図１に示されるように、センサ・アセンブリ１６及び画像アセンブリ１８は調節器カバー２２６に結合され得る。又は、そのような他の実施例において、センサ・アセンブリ１６及び／又は画像アセンブリ１８はひも調節器１４の他の箇所に結合されてもよい。例えば、センサ・アセンブリ１６及び／又は画像アセンブリ１８は調節器本体アセンブリ２２０に結合されてもよい、及び／又は調節器本体アセンブリ２２０内に位置してもよい。
【００１９】
概観として、センサ・アセンブリ１６は、センサ・アセンブリ１６を使用している、即ちひも調節器１４を併せて使用するスポーツ選手（本明細書では一般に「ユーザ」とも呼ばれる）に、スポーツ選手が彼らの運動動作の様々な態様を効果的に計測できるようにする統計的データを提供するように独自にデザインされ得る。異なる実施例において、センサ・アセンブリ１６はスポーツ選手のほぼ水平の移動、スポーツ選手のほぼ垂直の移動、スポーツ選手の角度のある及び／若しくは回転する移動、並びに／又は運動活動の動作の間スポーツ選手によるエネルギー及び力の消費に関する統計的データを提供し得る。例えば、ある実施例では、センサ・アセンブリ１６はスポーツ選手に歩数、総移動距離、一歩毎の距離（即ち歩幅）、移動速度、水平突進（即ち、平均速度からの突然の加速）、ジャンプの数、ジャンプの高さ、垂直突進（例えば、ジャンプのための離陸速度又は加速）、加速の数（水平突進及び／又は垂直突進に関する）、スポーツ選手の角度のある、ひねり又は回転移動（及び／又はそのような移動の速度）、運動動作の間に消費されるエネルギー（例えばカロリーで）、及び／又は運動動作の間に消費される力（例えば、ｐｓｉ、ｋｐｉ又は他の力の測定）に関する統計的データを提供し得る。加えて、センサ・アセンブリ１６は更にスポーツ選手に他の望ましい統計的データを提供し得る。
【００２０】
更に、センサ・アセンブリ１６により提供される統計的データはその後スポーツ選手により使用され得、最終的に彼らの運動動作を改善することを目標として彼らのトレーニング・プログラム及びスケジュールを調整する。
【００２１】
付加的及び／又は代替的に、ある実施例又は応用では、センサ・アセンブリ１６は更にブルートゥース（登録商標）及び／又はＧＰＳ機能を含み得る。例えば、そのようなある実施例では、センサ・アセンブリ１６はひも調節器１４を着用する個人により使用され得る正確で精密な位置情報を提供するための一つ又は複数のＧＰＳセンサを含み得る。そのようなある応用では、ＧＰＳセンサはひも調節器１４を着用する個人が常に自身がどこにいるか、及び望ましい目的地に到達するのにどこへ行けばいいかがわかるようなナビゲーションの目的で使用され得る。そのような使用では、ＧＰＳセンサは例えばアドベンチャー・レースの間及び／又は荒野を探検する時にひも調節器１４を着用する人物が迷子にならないように及び／又は着用者が既定の道を辿れるように使用され得る。
【００２２】
更に、そのような他の応用において、ＧＰＳセンサは、例えばひも調節器１４を着用する個人の世話をする、及び／又は管理する責任を持つ親や保護者のような誰かに安心感を提供し得る。そのような応用において、親や保護者が常にひも調節器１４を着用する人物の正確で精密な位置情報を有することができるようにＧＰＳセンサからの位置情報が遠隔受信機に無線で送信され得る。そのような応用により、親や保護者は着用者が迷子にならないように支援する及び／又は着用者が望ましくない又は適切でない位置に行かないように手助けできる。
【００２３】
更に、本明細書で提供されるように、一つ又は複数のセンサ４５６（図４に示される）の何れかからの情報を含むセンサ・アセンブリ１６からの情報は、ＵＳＢポート４７１（図４に示される）又は他の適切な連結部を介して遠隔装置４７０（図４に示される）にダウンロードされ得ることが理解されるべきである。そのような機能により、ユーザはセンサ・アセンブリ１６のセンサ４５６の何れかからの運動活動の間に生成された関連するデータを見ることができる。例えば、ユーザはＧＰＳセンサを使用して生成された遠隔装置４７０へ情報をダウンロードでき、その結果ユーザは例えば徒歩、自転車その他で辿った特定の経路又は道を正確に見ることができる。
【００２４】
更に、画像アセンブリ１８は、画像アセンブリ１８を使用している、即ちひも調節器１４を併せて使用するスポーツ選手に、スポーツ選手が彼らの運動動作の様々な態様を見る及び／又は評価できるようにする独自の視点を提供するように独自にデザイン及び／又は配置され得る。例えば、異なる実施例において、使用の間の画像アセンブリ１８の特定の位置及び方向に応じて、スポーツ選手は彼らの運動動作の独自の観点及び角度を示す彼らの画像（例えば静止画及び／又は動画）を効果的に取り込み、検討及び分析できる。そのようなデザインにより、スポーツ選手は、他の場合には画像アセンブリの遠隔配置から入手できないと思われる彼らの運動動作に対する独自の洞察を集めることができる。
【００２５】
例えば、画像アセンブリ１８は低解像度又は高解像度の画像又は動画（及び音声）を提供できる。画像又は動画はワイファイ、ブルートゥース（登録商標）又はＵＳＢポートを経由して送信され得る。ある実施例では、画像又は動画は動作又は試合の間ＴＶ放送で送信され得る。画像アセンブリ１８はひも調節器１４上のボタンにより制御され得るか、又は遠隔で制御され得る。図１に示される実施例では、画像アセンブリ１８はひも調節器１４に固定される及び／又はそれと一体化される。画像、動画及び音声は画像アセンブリ１８を着用する人物及び彼の周囲の環境のものであり得る。
【００２６】
ある実施例において、画像アセンブリ１８は望ましい画像又は動画を取り込むため靴１０からほぼ上方又は外方に向けられ得る。加えて、ある実施例では、画像アセンブリ１８が向けられる方向はユーザにより制御及び／又は調節され得るか、及び／又は他の個人により遠隔的に制御され得る。又は、画像アセンブリ１８は異なる方向に向けられ得る。
【００２７】
更に、センサ・アセンブリ１６と同様に、画像アセンブリ１８からの情報はＵＳＢポート４７１又は他の適切な連結部を介して遠隔装置４７０にダウンロードされ得ることが理解されるべきである。そのようなデザインにより、ユーザは彼らの運動活動の完了後、彼らの都合のよい時に運動活動からの画像を見ることができる。
【００２８】
更に、ある実施例では、ひも調節器１４は靴１０の靴ひも１１を容易に素早く締める又は緩めるのに使用され得、靴ひも１１は第１の端部（図示せず）及び第２の端部（図示せず）を含む。更に、ある実施例では、ひも調節器１４は、靴ひも１１が靴１０を履いている人物の躓きの危険の可能性となることを抑制するように靴ひも１１の第１の端部及び／又は第２の端部を選択的に受容及び保持するのに使用され得る、ひも端部保持器２２５（例えば図２Ａに示される）を含み得る。
【００２９】
ひも調節器１４は任意の適切なデザインを有し得る。例えば、一実施例において、ひも調節器１４は、例えば２０１２年５月２２日に発行された特許文献１「ひも調節器（ＬＡＣＥ  ＡＤＪＵＳＴＥＲ）」に記載された様々な特徴及び制限を含むようにデザインされ得る。付加的及び／又は代替的に、ひも調節器１４は例えば２０１４年４月１４日に出願された米国特許仮出願第６１／９７９，４９１号「ひも調節器（ＬＡＣＥ  ＡＤＪＵＳＴＥＲ）」に記載された様々な特徴及び制限を含むようにデザインされ得る。更に付加的及び／又は代替的に、ひも調節器１４は例えば２０１３年１０月９日に出願された特許文献２「交換可能なカバーを有するひも調節器（ＬＡＣＥ  ＡＤＪＵＳＴＥＲ  ＷＩＴＨ  ＩＮＴＥＲＣＨＡＮＧＥＡＢＬＥ  ＣＯＶＥＲＳ）」に記載された様々な特徴及び制限を含み得る。許可される限り、特許文献１、米国特許仮出願第６１／９７９，４９１号及び特許文献２の内容は本明細書に参照として援用される。
【００３０】
図２Ａから２Ｇは本発明の特徴を有するひも調節器２１４の実施例の他の図及び構成である。特に、図２Ａは本発明の特徴を有するひも調節器２１４の実施例の斜視図であり、図２Ｂは図２Ａに示されたひも調節器２１４の前面図であり、図２Ｃは図２Ａに示されたひも調節器２１４の側面図であり、図２Ｄは図２Ａに示されたひも調節器２１４の上面図であり、図２Ｅは図２Ｂのひも調節器２１４のＥ−Ｅ線での断面図であり、図２Ｆは図２Ｃのひも調節器２１４のＦ−Ｆ線での断面図であり、図２Ｇは図２Ａに示されるひも調節器の一部の斜視図である。
【００３１】
ひも調節器２１４のサイズ及びデザインは変化され得る。最初に図２Ａに言及すると、この実施例において、ひも調節器２１４は、内側フレーム２２１（しばしば「第１の本体部材」とも呼ばれる）及び外側フレーム２２２（しばしば「第２の本体部材」とも呼ばれる）、弾性部材２２３（図２Ｅに示される）、ガイド・システム２２４、ひも端部保持器２２５及び調節器カバー２２６を含む調節器本体アセンブリ２２０（本明細書では簡単に「本体アセンブリ」とも言う）を備える。ひも調節器２１４の要素のそれぞれのデザイン及び位置は本明細書に提供される教示に従って変化され得る。加えて、ひも調節器２１４は上記に挙げたように一つ又は複数の要素無しにデザインされてもよい。例えば、ひも調節器２１４はガイド・システム２２４無し及び／又は調節器カバー２２６無しでデザインされてもよい。
【００３２】
更に、この実施例において、センサ・アセンブリ１６及び画像アセンブリ１８は（図１に示すように）調節器カバー２２６に結合され得る。又は、上述のように、他の実施例において、センサ・アセンブリ１６及び／又は画像アセンブリ１８は、例えば本体アセンブリ２２０の内側フレーム２２１及び／若しくは外側フレーム２２２のようなひも調節器２１４の他の部分に結合されてもよく、並びに／又は本体アセンブリ２２０内に位置する及び／若しくは固定されてもよい。
【００３３】
更に、内側フレーム２２１を「第１の本体部材」とも代替的に言う及び外側フレーム２２２を「第２の本体部材」とも代替的に言うことは単に利便性のためであり、フレーム２２１、２２２のどちらかが「第１の本体部材」又は「第２の本体部材」と呼ばれ得ることが理解されるべきである。
【００３４】
本明細書において以下に詳細に記載するように、第１の本体部材、即ち内側フレーム２２１は、第２の本体部材、即ち外側フレーム２２２に弾性的に結合される。更に、ある実施例では、調節器本体アセンブリ２２０はひも調節器２１４の適切な機能を可能にするためロック構成（図２Ａから図２Ｆに示される）とロック解除構成（図示せず）との間で選択的に移動され得る。例えば、ある実施例では、靴ひも１１（図１に示される）は調節器本体アセンブリ２２０がロック解除構成にある時、調節器本体アセンブリ２２０に対して調節可能であり、靴ひも１１は調節器本体アセンブリ２２０がロック構成にある時、調節器本体アセンブリ２２０に対して調節可能でない。
【００３５】
特に、ある実施例において、内側フレーム２２１及び外側フレーム２２２はロック構成とロック解除構成との間で互いに移動可能である。より具体的には、図２Ａに示される実施例において、内側フレーム２２１及び外側フレーム２２２がロック構成とロック解除構成との間で移動するので、内側フレーム２２１は部分的に外側フレーム２２２内に嵌まり、外側フレーム２２２に対して上下に（即ち、ひも調節器２１４が垂直に向けられる時）移動する。加えて、図２Ａに示されるように、内側フレーム２２１は外側フレーム２２２のほぼ上方に位置する。又は、内側フレーム２２１は本発明のひも調節器２１４の全体の機能を変えることなく外側フレーム２２２のほぼ下方に位置してもよい。
【００３６】
ロック構成とロック解除構成との間の内側フレーム２２１及び外側フレーム２２２の互いの移動は、２０１２年５月２２日に発行された特許文献１「ひも調節器（ＬＡＣＥ  ＡＤＪＵＳＴＥＲ）」に示されて記載された幾分同じひも調節器の内側フレーム及び外側フレームの、ロック構成とロック解除構成との間の互いの移動とほぼ同様である。許可される限り、特許文献１の内容が本明細書に参照として援用される。
【００３７】
内側フレーム２２１のデザイン及び位置はひも調節器２１４の要求に応じて変化され得る。この実施例では、内側フレーム２２１は（ｉ）部材受容器２２８（図２Ｅに示される）を有する上面２２７（図２Ｅに示される）、（ｉｉ）部材開口２３０（図２Ｅに示される）を有する底面２２９（図２Ｅに示される）、（ｉｉｉ）第１の内側フレーム開口２３４Ａ及び離間した第２の内側フレーム開口２３４Ｂを有する前面２３１、（ｉｖ）第３の内側フレーム開口２３４Ｃ（図２Ｂに示される）及び離間した第４の内側フレーム開口２３４Ｄ（図２Ｂに示される）を有する後面２３２及び（ｖ）複数のガイド溝２３６を含む。尚、内側フレーム開口２３４Ａから２３４Ｄに対する第１から第４の用語の使用は利便性のためのみであり、内側フレーム開口２３４Ａから２３４Ｄの何れかが「第１の内側フレーム開口」、「第２の内側フレーム開口」、「第３の内側フレーム開口」及び／又は「第４の内側フレーム開口」と名付けられ得る。
【００３８】
図示されるように、ある実施例では、上面２２７はほぼ半円のディスク形状であり得、ほぼ半円形の前縁２２７Ａ（図２Ｂによりはっきりと示される）及びほぼ平坦又は僅かに湾曲し得る後縁２２７Ｂ（図２Ｃに示される）を有し、後縁２２７Ｂは、ひも調節器２１４が靴１０に対して安定して配置されるように、靴１０に対向する（図１に示される）ようにデザインされている。加えて、図示されるように、上面２２７は内側フレーム２２１の底面２２９と同様の形状を有し、上面２２７が底面２２９より僅かに大きい。又は、上面２２７、例えば前縁２２７Ａ及び後縁２２７Ｂは、図に示されるのと異なるデザイン及び／又は形状を有してもよい。例えば、上面２２７はほぼ円形のディスク形状、ほぼ正方形のディスク形状又はほぼ矩形のディスク形状であってもよい。
【００３９】
部材受容器２２８は弾性部材２２３を内側フレーム２２１に固定するため弾性部材２２３の一部を受容及び保持するようになされる。一実施例において、部材受容器２２８は外側フレーム２２２に対向する内側フレーム２２１の上面２２７の表面のほぼ中央に位置する。又は、部材受容器２２８は内側フレーム２２１の上面２２７に対して異なる方法で位置してもよい。
【００４０】
加えて、この実施例に示されるように、底面２２９はほぼ半円形のディスク形状であり得、ほぼ半円形状の前縁２２９Ａ（図２Ｅに示される）及びほぼ平坦又は僅かに湾曲し得る後縁２２９Ｂ（図２Ｅに示される）を有し、後縁２２９Ｂはひも調節器２１４が靴１０に対して安定して配置されるように靴１０に対向するようデザインされる。加えて、図示されるように、底面２２９は内側フレーム２２１の上面２２７と同様の形状を有し、底面２２９は上面２２７より僅かに小さい。又は、底面２２９、例えば前縁２２９Ａ及び後縁２２９Ｂは、図面に示されるのと異なるデザイン及び／又は形状を有していてもよい。例えば、底面２２９はほぼ円形のディスク形状、ほぼ正方形のディスク形状又はほぼ矩形のディスク形状であってもよい。
【００４１】
部材開口２３０は弾性部材２２３を受容するようになされる。加えて、部材開口２３０は弾性部材２２３が内側フレーム２２１の上面２２７と外側フレーム２２２との間で延伸可能にする。一実施例において、部材開口２３０は内側フレーム２２１の底面２２９のほぼ中央に位置し、内側フレーム２２１の底面２２９を完全貫通して延伸する。又は、部材開口２３０は内側フレーム２２１の底面２２９に対して異なる方法で位置してもよい。
【００４２】
上面２２７の前縁２２７Ａ及び底面２２９の前縁２２９Ａの形状にほぼ対応するように、内側フレーム２２１の前面２３１はほぼ湾曲した形状である。更に、前面２３１は底面２２９の前縁２２９Ａの周囲から離間した上方で片持ち梁形式となり、前面２３１は上面２２７の前縁２２７Ａの周囲の近くから離間した下方で片持ち梁形式となる。又は、前面２３１は異なる形状を有する、並びに／又は異なる方法で及び／若しくは異なる位置から底面２２９及び上面２２７から離間して延伸するようにデザインされてもよい。
【００４３】
上述のように、内側フレーム２２１の前面２３１は第１の内側フレーム開口２３４Ａと離間した第２の内側フレーム開口２３４Ｂとを含む。又は、内側フレーム２２１の前面２３１は２つより多い又は２つより少ない内側フレーム開口を含むようにデザインされてもよい。
【００４４】
上面２２７の後縁２２７Ｂ及び底面２２９の後縁２２９Ｂの形状にほぼ対応するように、内側フレーム２２１の後面２３２はほぼ平坦又は僅かに湾曲し得る。更に、後面２３２は底面２２９の後縁２２９Ｂの周囲から離間した上方で片持ち梁形式となり、後面２３２は上面２２７の後縁２２７Ｂの周囲の近くから離間した下方で片持ち梁形式となる。又は、後面２３２は異なる形状を有する、並びに／又は異なる方法で及び／若しくは異なる位置から底面２２９及び上面２２７から離間して延伸するようにデザインされてもよい。
【００４５】
上述のように、内側フレーム２２１の後面２３２は第３の内側フレーム開口２３４Ｃ及び離間した第４の内側フレーム開口２３４Ｄを含む。又は、内側フレーム２２１の後面２３２は２つより多い又は２つより少ない内側フレーム開口を含むようにデザインされてもよい。
【００４６】
図２Ａから２Ｆに示された実施例において、複数のガイド溝２３６が離間して内側フレーム２２１の前面２３１の外面２３１Ａの周りに配置される。本明細書で以下により詳細に記載されるように、ガイド溝２３６はガイド・システム２２４の一部を形成する。ガイド溝２３６のデザイン及び位置はひも調節器２１４の要求に適合するため変化され得る。この実施例において、内側フレーム２２１は、内側フレーム２２１と外側フレーム２２２との間の望ましい相対移動、即ちロック構成とロック解除構成との間の移動を案内する助けとするために、及び内側フレーム２２１と外側フレーム２２２との間の望ましくない相対移動、即ちロック構成とロック解除構成との間の移動に必要な方向以外の方向の移動を制限するために、外側フレーム２２２の一部を受容するようにデザインされた３つの離間したガイド溝２３６（図２Ａでは２つのみが見えている）を含む。他の実施例では、ガイド溝２３６はほぼＵ字状、ほぼＶ字状又はある他の形状であってもよい。更に代替的に、内側フレーム２２１は３つより多い又は３つより少ないガイド溝２３６を有してデザインされてもよい。
【００４７】
この実施例において、外側フレーム２２２は上部に沿って開口し、そのため、内側フレーム２２１の少なくとも一部を受容し、内側フレーム２２１を外側フレーム２２２に対して移動範囲に亘って上下に移動可能にする、即ち内側フレーム２２１と外側フレーム２２２がロック構成とロック解除構成との間で移動できるようにデザインされる。外側フレーム２２２のデザイン及び位置はひも調節器２１４の要求に応じて変化され得る。この実施例では、外側フレーム２２２は（ｉ）第１の外側フレーム開口２４０Ａ及び離間した第２の外側フレーム開口２４０Ｂを有する前面２３７、（ｉｉ）第３の外側フレーム開口２４０Ｃ（図２Ｇに示される）及び離間した第４の外側フレーム開口２４０Ｄ（図２Ｇに示される）を有する後面２３８、（ｉｉｉ）部材受容器２４３（図２Ｅに示される）を有する底面２４２、及び（ｉｖ）複数のガイド・タブ２４４を含む。尚、外側フレーム開口２４０Ａから２４０Ｄに対する第１から第４の用語の使用は利便性のみのためになされ、外側フレーム開口２４０Ａから２４０Ｄの何れかが「第１の外側フレーム開口」、「第２の外側フレーム開口」、「第３の外側フレーム開口」、及び／又は「第４の外側フレーム開口」と名付けられ得る。
【００４８】
図２Ａから２Ｆに示されるように、外側フレーム２２２は内側フレーム２２１のほぼ下方に位置する。又は、外側フレーム２２２は本発明のひも調節器２１４の全体の機能を変えずに内側フレーム２２１のほぼ上方に位置してもよい。
【００４９】
外側フレーム２２２の前面２３７はほぼ湾曲した形状であり、底面２４２の一部の周囲から離間した上方で片持ち梁形式となる。又は、前面２３７は異なる形状を有する、並びに／又は異なる方法で及び／若しくは異なる位置から底面２４２から離間して延伸するようにデザインされてもよい。
【００５０】
更に、上記のように、外側フレーム２２２の前面２３７は第１の外側フレーム開口２４０Ａ及び離間した第２の外側フレーム開口４２０Ｂを含む。又は、外側フレーム２２２の前面２３７は２つより多い又は２つより少ない外側フレーム開口を有するようデザインされてもよい。
【００５１】
外側フレーム２２２の後面２３８はほぼ平坦又は僅かに湾曲し得、底面２４２の一部の周囲から離間した上方で片持ち梁形式となる。又は、後面２３８は異なる形状を有する、並びに／又は異なる方法で及び／若しくは異なる位置から底面２４２から離間して延伸するようにデザインされてもよい。
【００５２】
更に、上記のように、外側フレーム２２２の後面２３８は第３の外側フレーム開口２４０Ｃ及び離間した第４の外側フレーム開口２４０Ｄを含む。又は、外側フレーム２２２の後面２３８は２つより多い又は２つより少ない外側フレーム開口を有するようデザインされてもよい。
【００５３】
底面２４２はほぼ半円形のディスク形状であり、ほぼ半円形状の前縁２４２Ａ（図２Ｂに示される）及びほぼ平坦又は僅かに湾曲する後縁２４２Ｂ（図２Ｃに示される）を有し、後縁２４２Ｂはひも調節器２１４が靴１０に対して安定して配置されるように靴１０に対向するようデザインされる。図示されるように、底面２４２は内側フレーム２２１の底面２２９と同様の形状を有し、外側フレーム２２２の底面２４２は、内側フレーム２２１が外側フレーム２２２の中でそれに対して移動できるよう、内側フレーム２２１の底面２２９より僅かに大きい。又は、底面２４２は異なる形状にデザインされてもよい。例えば、底面２４２はほぼ円形のディスク形状、ほぼ正方形のディスク形状又はほぼ矩形のディスク形状であってもよい。
【００５４】
部材受容器２４３は弾性部材２２３を外側フレーム２２２に固定するため弾性部材２２３の一部を受容及び保持するようになされる。一実施例において、部材受容器２４３は内側フレーム２２１に対向する外側フレーム２２２の底面２４２の表面のほぼ中央に位置する。又は、部材受容器２４３は外側フレーム２２２の底面２４２に対して異なる方法で位置してもよい。
【００５５】
図２Ａから図２Ｇに示された実施例において、複数のガイド・タブ２４４が離間して外側フレーム２２２の前面２３７の内面２３７Ａの周りに配置される。本明細書で以下により詳細に記載されるように、ガイド・タブ２４４はガイド・システム２２４の一部を形成する。ガイド・タブ２４４のデザイン及び位置はひも調節器２１４の要求に適合するため変化され得る。この実施例において、外側フレーム２２２は、内側フレーム２２１の複数のガイド溝２３６内に配置されるように、及び内側フレーム２２１の外側フレーム２２２に対する移動、即ちロック構成とロック解除構成との間の移動を案内する助けとするために、デザインされた３つの離間したガイド・タブ２４４（図２Ａでは２つのみが見えている）を含む。他の実施例では、ガイド・タブ２４４はほぼＵ字状、ほぼＶ字状又はある他の形状であってもよい。又、外側フレーム２２２は３つより多い又は３つより少ないガイド・タブ２４４を有してデザインされてもよい。
【００５６】
上述のように、内側フレーム２２１及び外側フレーム２２２はロック構成とロック解除構成との間で互いに移動するようにデザインされる。ロック解除構成において、内側フレーム開口２３４Ａから２３４Ｄは外側フレーム開口２４０Ａから２４０Ｄとほぼ整列且つ同心である。より具体的には、ロック解除構成において、内側フレーム２２１は外側フレーム２２２のほぼ中に位置し、第１の内側フレーム開口２３４Ａが第１の外側フレーム開口２４０Ａとほぼ整列且つ同心であり、第２の内側フレーム開口２３４Ｂが第２の外側フレーム開口２４０Ｂとほぼ整列且つ同心であり、第３の内側フレーム開口２３４Ｃが第３の外側フレーム開口２４０Ｃとほぼ整列且つ同心であり、第４の内側フレーム開口２３４Ｄが第４の外側フレーム開口２４０Ｄとほぼ整列且つ同心である。ロック構成において、内側フレーム２２１は外側フレーム２２２から幾分離間して延伸し、内側フレーム開口２３４Ａから２３４Ｄは、それらが外側フレーム開口２４０Ａから２４０Ｄと整列又は同心にはならないように配置される。
【００５７】
弾性部材２２３のデザインはひも調節器２１４の要求に応じて変化され得る。例えば、図２Ａから２Ｇに示される実施例において、弾性部材２２３はばねである。又は、弾性部材２２３は弾性材料の別の部材でもよい。弾性部材２２３は内側フレーム２２１と外側フレーム２２２に固定され、内側フレーム２２１と外側フレーム２２２との間を延伸する。より詳細には、弾性部材２２３は部材受容器２２８を介して内側フレーム２２１に固定され、弾性部材２２３は部材受容器２４３を介して外側フレーム２２２に固定される。この実施例において、弾性部材２２３は内側フレーム２２１を外側フレーム２２２に対して上昇及び／又は離間するように押す。或いは、弾性部材２２３は内側フレーム２２１及び外側フレーム２２２をロック構成へ付勢する。又は、弾性部材２２３は内側フレーム２２１を外側フレーム２２２内へ押すようにデザインされてもよい。そのような他の実施例では、ひも調節器２１４は内側フレーム２２１及び外側フレーム２２２をロック構成に維持するロック機構（図示せず）を更に必要とすることになる。これらの他の実施例において、弾性部材２２３は、内側フレーム２２１及び外側フレーム２２２がロック構成とロック解除構成との間を移動するため、延伸又は圧縮される。
【００５８】
ガイド・システム２２４は内側フレーム２２１の外側フレーム２２２に対する動き（例えばひも調節器２１４が垂直に向く時の上下）を案内する。ガイド・システム２２４のデザインはひも調節器２１４の要求に適合するために変化され得る。図２Ａから２Ｇに示された実施例において、ガイド・システム２２４は複数のガイド溝２３６及び複数のガイド・タブ２４４を含む。複数のガイド溝２３６のそれぞれは複数のガイド・タブ２４４の１つを受容するためにデザイン及び配置される。上記に論じたように、ガイド溝２３６は、内側フレーム２２１の前面２３１の外面２３１Ａに沿ってほぼＵ字状、ほぼＶ字状又はある他の形状の溝であってもよい。同様に、ガイド・タブ２４４は、外側フレーム２２２の前面２３７の内面２３７Ａに沿ってほぼＵ字状、ほぼＶ字状又はある他の形状のタブであってもよい。又は、内側フレーム２２１は３つより多い又は３つより少ないガイド溝２３６を有するようにデザインされてもよく、外側フレーム２２２は３つより多い又は３つより少ないガイド・タブ２４４を有するようにデザインされてもよい。更に代替的に、ひも調節器２１４は内側フレーム２２１が複数のガイド・タブを含み、外側フレーム２２が複数のガイド溝を含むようにデザインされてもよい。更に代替的に、ガイド・システム２２４は、内側フレーム２２１と外側フレーム２２２との間の相対的な動きを異なる方法で案内する、異なるデザインを有していてもよい。
【００５９】
ひも端部保持器２２５は靴ひも１１の第１の端部及び／又は第２の端部をしっかりと保持するようにデザインされる。更に、図示されるように、ひも端部保持器２２５は本体アセンブリ２２０に連結される。特に、ひも端部保持器２２５は本体アセンブリ２２０、即ち内側フレーム２２１及び外側フレーム２２２の内の１つ又は両方に結合され得、及び／又はひも端部保持器２２５は本体アセンブリ２２０と一体的に形成され得る。例えば、図示されるように、ひも端部保持器２２５は外側フレーム２２２の一部として含まれ得る及び／又はそれと一体的に形成され得る。より詳細には、この実施例に図示されるように、ひも端部保持器２２５は外側フレーム２２２の底面２４２から離れたほぼ下方に延伸し得、ひも端部保持器２２５は外側フレーム２２２の前面２３７から離れた幾分外方に延伸し得る。又は、ひも端部保持器２２５は内側フレーム２２１の一部として含まれ得る及び／又はそれと一体的に形成され得る。更に代替的に、ひも端部保持器２２５は別個に形成されて外側フレーム２２２及び／又は内側フレーム２２１に結合されてもよい。
【００６０】
ひも端部保持器２２５のデザインはひも調節器２１４、靴ひも１１及び／又は靴１０の特有の要求に適合するために変化され得る。ある実施例では、ひも端部保持器２２５は靴ひも１１の第１の端部及び／又は第２の端部を受容する１つ又は複数の受容部２４６、及び靴ひも１１の第１の端部及び／又は第２の端部をしっかりと保持する１つ又は複数の保持部２４８を含み得る。例えば、図２Ａから図２Ｇに示された実施例では、ひも端部保持器２２５は１つのほぼ中央に配置された受容部２４６及び４つの保持部２４８を含み、２つの保持部２４８が受容部２４６の片側に位置している。更に、この実施例では、受容部２４６及び保持部２４８は単一の共通の保持器開口２５０内に形成される。又は、１つ又は複数の受容部２４６及び１つ又は複数の保持部２４８のそれぞれは互いに離間しても、互いに結合しても及び／又は任意の適切な方法で１つ若しくは複数の保持器開口２５０内に形成されてもよい。例えば、ある非排他的な代替の実施例では、ひも端部保持器２２５は靴ひも１１の第１の端部を受容及び保持する目的で第１の保持器開口内に形成される第１の受容部及び第１の保持部と共に、及び靴ひも１１の第２の端部を受容及び保持する目的で第２の保持器開口内に形成される第２の受容部及び第２の保持部と共に形成されてもよい。他の非排他的な代替の実施例では、ひも端部保持器２２５は靴ひもの第１の端部を受容する第１の受容部と、靴ひも１１の第２の端部を受容する第２の受容部と、靴ひも１１の第１の端部及び第２の端部のそれぞれをしっかりと保持する単一の保持部を含んでもよい。
【００６１】
上述のように、受容部２４６は靴ひも１１の第１の端部及び／又は第２の端部を受容するようになされる。更に、この実施例では、保持部２４６はほぼ円形形状であり、外側フレーム２２２の前面２３７の下のほぼ中央に配置される。又は、受容部２４６は異なる形状を有してもよく、及び／又は受容部２４６は異なる方法で配置されてもよい。更に代替的に、ひも端部保持器２２５は１つ以上の受容部２４６を有してもよい。
【００６２】
更に、上述のように、保持部２４８は靴ひも１１の第１の端部及び／又は第２の端部をしっかりと保持するようになされる。更に、上述のように、２つの保持部２４８が受容部２４６の片側に配置され、受容部２４６及び保持部２４８は単一の共通の保持器開口２５０内に形成される。この実施例では、保持部２４８のそれぞれはほぼ溝形状であり、保持部２４８は受容部２４６にすぐ隣接して配置され、受容部２４６は、受容部２４６よりも遠くに離間して配置される保持部２４８より僅かに大きい。このデザインにより、ひも端部保持器２２５は異なるサイズ、例えば異なる厚さの靴ひもを効果的にしっかりと保持できる。又は、保持部２４８は異なる形状、異なるサイズを有してもよく、及び／又は図に示したのと異なる方法で配置されてもよい。更に代替的に、ひも端部保持器２２５は４つより多い又は４つより少ない保持部２４８を含んでいてもよい。
【００６３】
ひも調節器２１４の使用の間、靴ひも１１は内側フレーム開口２３４Ａから２３４Ｄ及び外側フレーム開口２４０Ａから２４０Ｄに効果的に通された後、（ｉ）靴ひも１１の第１の端部はひも端部保持器２２５の受容部２４６に通され、保持部２４８の１つ（即ち、適切なサイズの保持部２４８）の中でしっかりと保持されるように側部へ移動され得る、及び（ｉｉ）靴ひも１１の第２の端部はひも端部保持器２２５の受容部２４６内に通され、保持部２４８の１つ（即ち、適切なサイズの保持部２４８）の中でしっかりと保持されるように側部へ移動され得る。靴ひも１１の端部がこのように１つ又は複数の保持部２４８内でしっかりと保持されるため、靴１０の着用者の躓く危険の可能性が効果的に抑止される。靴ひも１１の第１の端部及び第２の端部のそれぞれは、ひも端部保持器２２５の同じ又は異なる保持部２４８内で保持され得ることが理解されるべきである。
【００６４】
この実施例で示されるように、調節器カバー２２６は内側フレーム２２１の上面２２７に選択的に固定される及び／又は結合され得る。代替の実施例では、調節器カバー２２６は任意の適切な方法で内側フレーム２２１の上面２２７に選択的に固定される及び／又は結合されてもよい。例えば、内側フレーム２２１は複数の離間したカバー開口（図示せず）を含んでもよく、調節器カバー２２６は、調節器カバー２２６を内側フレーム２２１に固定及び／又は結合するために配置されてカバー開口により選択的に受容される複数の離間したカバー・ピン（図示せず）を含み得る。又は、内側フレーム２２１は複数の離間したカバー・ピンを含んでもよく、調節器カバー２２６は配置されてカバー・ピンを選択的に受容する複数の離間したカバー開口を含んでもよい。更に代替的に、内側フレーム２２１及び調節器カバー２２６のそれぞれは例えばベルクロ（登録商標）、磁石、両面テープ、リップ／溝の組合せ、突起／凹みの組合せ又は調節器カバー２２６が内側フレーム２２１に効果的に固定及び／結合され得るような他の適切な装置のようなフックとループの材料を含んでもよい。調節器カバー２２６と内側フレーム２２１との間の取り付けの可能性のある手段は２０１３年１０月９日に出願された特許文献２「交換可能なカバーを有するひも調節器（ＬＡＣＥ  ＡＤＪＵＳＴＥＲ  ＷＩＴＨ  ＩＮＴＥＲＣＨＡＮＧＥＡＢＬＥ  ＣＯＶＥＲＳ）」により詳細に記載されている。許可される限り、特許文献２の内容が参照として本明細書に援用される。
【００６５】
更に代替的に、調節器カバー２２６のデザイン及び位置はひも調節器２１４の要求に応じて変化され得る。例えば、ある実施例では、調節器カバー２２６は任意の適切な方法で外側フレーム２２２に固定及び／又は結合され得る。
【００６６】
図示されるように、調節器カバー２２６は内側フレーム２２１の上面２２７の形状に大変よく似た、ほぼ半円形のディスク形状である。又は、調節器カバー２２６は異なる形状にデザインされてもよい。例えば、調節器カバー２２６はほぼ円形のディスク形状、ほぼ正方形のディスク形状又はほぼ矩形のディスク形状であってもよい。尚、調節器カバー２２６は、調節カバー２２６の上面２２６Ｔに例えばこの実施例で示されるようなスポーツロゴ等のデザイン２５２を含み得、ひも調節器２１４がより興味深い外観を有することを可能にする。更に、この実施例において、調節器カバー２２６が内側フレーム２２１に選択的に取り付けられるようにデザインされる状態で、別のデザイン２５２を有する異なる調節器カバー２２６がひも調節器２１４の残りの部分に素早く且つ容易に取り付けられ得る。
【００６７】
上述の通り、図２Ｇは図２Ａに示されるひも調節器２１４の一部の斜視図である。特に、図２Ｇはひも調節器２１４の外側フレーム２２２の斜視図である。図２Ｇに内側フレーム２２１が含まれていないため、外側フレーム２２２のこの実施例の特定のデザインの特徴及び態様がよりはっきりと図示され得ることが理解されるべきである。例えば、図２Ｇは第３の外側フレーム開口２４０Ｃと第４の外側フレーム開口２４０Ｄをよりはっきりと図示する。尚、図２Ｇは外側フレーム２２２の前面２３７及び後面２３８の全体の形状をよりはっきりと図示する。
【００６８】
まとめると、図２Ａから図２Ｇに示された実施例において、（ｉ）内側フレーム２２１は外側フレーム２２２内に部分的に嵌められ、それに対してロック構成とロック解除構成との間で上下に移動する、（ｉｉ）弾性部材２２３は内側フレーム２２１と外側フレーム２２との間を延伸し、内側フレーム２２１が外側フレーム２２２に対しロック構成へ付勢されるように内側フレーム２２１を上方へ押す、（ｉｉｉ）内側フレーム２２１は、それぞれが他の内側フレーム開口から離間する第１の内側フレーム開口２３４Ａ、第２の内側フレーム開口２３４Ｂ、第３の内側フレーム開口２３４Ｃ及び第４の内側フレーム開口２３４Ｄを含み、（ｉｖ）外側フレーム２２２は、それぞれが他の外側フレーム開口から離間する第１の外側フレーム開口２４０Ａ、第２の外側フレーム開口２４０Ｂ、第３の外側フレーム開口２４０Ｃ及び第４の外側フレーム開口２４０Ｄを含み、（ｖ）内側フレーム開口２３４Ａから２３４Ｄは、内側フレーム２２１と外側フレーム２２２がロック解除構成にある時、外側フレーム開口２４０Ａから２４０Ｄとほぼ整列且つ同心であり、よって靴ひも１１が内側フレーム開口２３４Ａから２３４Ｄ及び外側フレーム開口２４０Ａから２４０Ｄを通されるようにする、（ｖｉ）内側フレーム開口２３４Ａから２３４Ｄは、内側フレーム２２１と外側フレーム２２２がロック構成にある時、外側フレーム開口２４０Ａから２４０Ｄと整列且つ同心ではなく、よって靴ひも１１が内側フレーム２２１と外側フレーム２２２との間でしっかりと保持されるようにする、（ｖｉｉ）靴ひも１１の第１の端部はひも端部保持器２２５の受容部２４６に通され得る、（ｖｉｉｉ）靴ひも１１の第２の端部はひも端部保持器２２５の受容部２４６に通され得る、及び（ｉｘ）靴ひも１１の第１の端部及び第２の端部はひも端部保持器２２５の保持部２４８の１つに位置しその中でしっかりと保持されるように側部へ移動され得る。
【００６９】
上述のように、様々な実施例において、フィードバック・アセンブリ１９、即ちセンサ・アセンブリ１６及び／又は画像アセンブリ１８はひも調節器２１４に結合され得る。例えば、ある実施例では、上述のように、ひも調節器２１４は調節器本体アセンブリ２２０と調節器本体アセンブリ２２０に選択的に結合された調節器カバー２２６とを含む。そのような一実施例において、図１に示すように、センサ・アセンブリ１６及び画像アセンブリ１８は調節器カバー２２６に結合され得る。又は、そのような他の実施例において、センサ・アセンブリ１６及び／又は画像アセンブリ１８は調節器本体アセンブリ２２０に結合されるか、又は調節器本体アセンブリ２２０内に位置し得る。
【００７０】
図３は図１に示されたセンサ・アセンブリ３１６の実施例の簡単な概略図である。センサ・アセンブリ３１６のデザインは変化され得る。例えば、図３に示すように、センサ・アセンブリ３１６はアセンブリ本体３５４、１つ又は複数のセンサ３５６（図３では二点鎖線のボックスとして４つ示される）、入力機構３５８、記憶装置３６０（二点鎖線のボックスとして示される）、送信機３６２（二点鎖線のボックスとして示される）、コントローラ３６４（二点鎖線のボックスとして示される）、表示画面３６６及び電源３６８（二点鎖線で示される）を含み得る。図示のように、この実施例において、１つ又は複数のセンサ３５６、入力機構３５８、記憶装置３６０、送信機３６２、コントローラ３６４、表示画面３６６及び電源３６８のそれぞれはアセンブリ本体３５４に結合される及び／又はほぼその中に位置し得る。これらの要素のそれぞれのデザインはセンサ・アセンブリ３１６のデザインの要求に適合するために変化され得る。又は、センサ・アセンブリ３１６は図３に具体的に示されたものより多い又は少ない要素を含み得る他の適切なデザインを有し得る。更に代替的に、１つ又は複数の要素がアセンブリ本体３５４から離間して設けられてもよい。
【００７１】
図示されるように、一実施例において、アセンブリ本体３５４は１つ又は複数のセンサ３５６、入力機構３５８、記憶装置３６０、送信機３６２、コントローラ３６４、表示画面３６６及び電源３６８のハウジングを提供し得る。アセンブリ本体３５４のデザインは変化され得る。例えば、一実施例において、アセンブリ本体３５４はほぼ矩形のボックス形状である。又は、アセンブリ本体３５４は他の適切な形状を有していてもよい。
【００７２】
上述の通り、センサ・アセンブリ３１６はスポーツ選手に、スポーツ選手が彼らの運動動作の様々な態様を効果的に計測できる様々な統計的データ及び／又は動作測定値を提供し得る。そのような統計的データ及び／又は動作測定値を効果的に提供するために、センサ・アセンブリ３１６は適切な動作変数を感知するために特定の特徴を含む１つ又は複数のセンサ３５６を必要とする。例えば、ある実施例において、１つ又は複数のセンサ３５６は、１つ又は複数の２軸加速度計、３軸加速度計、ジャイロメータ（又はジャイロスコープ）及び／又は他の種類の速度センサ、及び／又は磁力計を含み得る。付加的及び／又は代替的に、１つ又は複数のセンサ３５６は追加の適切なセンサの種類を含んでもよい。
【００７３】
本明細書で論じられるように、１つ又は複数のセンサ３５６は、その後にスポーツ選手にとって有効な統計的データ及び／又は動作測定値を生成するのに使用され得る様々な動作特性を感知するのに効果的に使用され得る。例えば、２軸加速度計は２軸に沿ったスポーツ選手の動作の間に自身の加速を計測及び／又は感知するのに使用され得る。より具体的には、１つの２軸加速度計は水平軸（即ち、Ｘ軸及びＹ軸）に沿ってスポーツ選手の加速を計測及び／又は感知するのに使用され得、他の２軸加速度計は１つの水平軸（即ち、Ｘ軸又はＹ軸）及び垂直軸（即ち、Ｚ軸）に沿ってスポーツ選手の加速を計測及び／又は感知するのに使用され得る。更に、３軸加速度計は３軸全てに沿って（即ち、Ｘ軸、Ｙ軸及びＺ軸に沿って）スポーツ選手の加速を計測及び／又は感知するのに使用され得る。３軸加速度計により計測及び／又は感知された動作特性と２軸加速度計のそれぞれにより計測及び／又は感知された動作特性とを比べることにより（即ち３軸データから２軸データを引くことにより）、正確な加速度データがそれぞれ個別の軸に沿って決定され得、スポーツ選手の垂直及び水平の加速を効果的に分離することが理解されるべきである。
【００７４】
更に、ジャイロメータ（又はジャイロスコープ）又は他の種類の速度センサが、運動活動又は試合の動作の間にスポーツ選手の角度のある移動（例えばひねり及び回転）に関する有効なデータを最終的に提供する手段として、スポーツ選手の方向情報を計測及び／又は感知するのに使用され得る。なお更に、磁力計がスポーツ選手の様々な動きに関連して空間の点における磁場の強度（即ち大きさ）及び方向を計測するのに使用され得る。
【００７５】
１つ又は複数のセンサ３５６により計測及び／又は感知される任意の又は全ての動作特性は任意の適切な方法で組み合わされ得、運動活動又は試合の動作の間、スポーツ選手に対して様々な統計的データ及び／又は動作測定値を生成できるようにすることが理解されるべきである。
【００７６】
運動動作からの様々な統計的データをより効果的に評価するために、スポーツ選手は、例えばスポーツ選手の身長と体重のような特定の入力情報を提供することを希望してもよいことが更に理解されるべきである。一実施例において、スポーツ選手は身長や体重のような情報を、入力機構３５８を介して手動でセンサ・アセンブリ３１６及び／又はコントローラ３６４に入力してもよい。又は、スポーツ選手の身長や体重のような情報は他の適切な方法でセンサ・アセンブリ３１６及び／又はコントローラ３６４に提供されてもよい。この情報は動作データに関する人々の身長と体重の効果を見るのに更に使用され得る。
【００７７】
又、スポーツ選手は更に、スポーツ選手がいつ最適なパフォーマンスを経験できるかを決めることを助ける手段として、直近の食物及び／飲料の摂取、直近の睡眠経験、直近の運動及びその程度等の情報を提供し得る。
【００７８】
更に、上述の通り、特定の実施例又は応用において、センサ・アセンブリ３１６はひも調節器１４を着用する個人により使用され得る正確且つ精密な位置情報を提供するための１つ又は複数のＧＰＳセンサを付加的及び／又は代替的に含み得る。例えば、特定の非排他的な代替の応用において、ＧＰＳセンサはナビゲーションの目的で使用され得る、及び／又はＧＰＳセンサは追跡の目的で使用され得る。そのような応用により、ひも調節器１４を着用する個人は常に自身がどこにいるか、及び望ましい目的地に到達するのにどこに行けばよいかを知る。そのような使用では、ＧＰＳセンサは例えばアドベンチャー・レースの間、又は荒野を探検する時にひも調節器１４を着用する人物が迷子にならないように及び／又は着用者が、既定の道を辿れるように使用され得る。更に、上述の通り、ＧＰＳセンサは、例えばひも調節器１４を着用する個人を世話する、及び／又は管理する責任がある親や保護者のような誰かに安心感を提供し得る。そのような応用において、ユーザ及び／又は親や保護者が常にひも調節器１４を着用する人物の正確で精密な位置情報を有することができるようにＧＰＳセンサからの位置情報が遠隔受信機４７０（図４に示される）に無線で送信され得る。
【００７９】
更に、ＧＰＳセンサはユーザの移動を追跡するのに使用され得る。例えば、走行又は自転車での経路は将来の分析のために記録及び記憶され得る。時間及び高度といった他の情報も将来の分析のために記録及び記憶され得る。
【００８０】
１つ又は複数のセンサ３５６により感知されたデータ、及びスポーツ選手により入力機構３５８（又は他の方法で）を介して入力されたデータはセンサ・アセンブリ３１６の記憶装置３６０内に記憶及び／又は維持され得る。記憶装置３６０は情報の記憶及び／又は維持を可能にする任意の適切なデザインを有し得る。
【００８１】
送信機３６２は記憶装置３６０（又はセンサ３５６からのデータ）内に記憶された情報及びデータをコントローラ３６４又は例えば遠隔のスマート・フォン、コンピュータ等の他のコンピュータ装置へ送信するように使用され得る。送信機３６２は記憶装置３６０からコントローラ３６４への情報及びデータの効果的な送信を可能にする任意の適切なデザインを有し得る。又は、記憶装置３６０内に記憶された情報及びデータは別個の送信機３６２を必要とせずにコントローラ３６４へ送信されてもよい。例えば、データは取り外し可能なコードを介してコンピュータ又は他のプロセッサへ送信されてもよい。
【００８２】
コントローラ３６４は例えば記憶装置３６０及び／又は送信機３６２を介して１つ又は複数のセンサ３５６に電気的に結合される。更に、１つ又は複数のセンサ３５６により計測及び／又は感知される動作特性はその後送信されてコントローラ３６４により受信され、有効な統計的データ、即ち１つ又は複数の有効な統計的データ点へ変換される。一実施例において、１つ又は複数のワイヤ（図示せず）が、例えば記憶装置３６０及び／又は送信機３６２を介して動作特性を１つ又は複数のセンサ３５６からコントローラ３６４へ送信するのに使用され得る。又は、他の実施例において、１つ又は複数のセンサ３５６がそのような動作特性の送信のためにコントローラ３６４に無線で結合されてもよい。
【００８３】
上述のように、コントローラ３６４はセンサ３５６により計測及び／又は感知された動作特性をスポーツ選手に有効な統計的データに変換するのに使用され得る。そのような統計的データは更にスポーツ選手により入力されたデータを、入力機構３５８（若しくは他の方法）を介して組み込み、及び／又はそのような統計的データはスポーツ選手により入力されたデータと無関係に提供され得る。コントローラ３６４は１つ又は複数の回路及び／又はプロセッサを含み得る。更に、コントローラ３６４はセンサ３５６からの情報を望ましい有効な統計的データへ変換するのに効果的に使用され得る１つ又は複数のプログラムアルゴリズムを含み得る。プログラムアルゴリズムは望ましい特定の統計的データに応じて変化され得る。
【００８４】
上述のように、センサ・アセンブリ３１６はスポーツ選手の動作を計測するための様々な種類の有効な統計的データを生成するのに使用され得る。例えば、センサ・アセンブリ３１６は歩数計の使用（スポーツ選手のほぼ水平の移動）、即ち、歩数、総移動距離、及び／又は一歩毎の移動距離（又は歩幅）を通して提供され得るような統計的データを生成するのに使用され得る。歩幅は明らかに特有の活動の性質に応じて変化し得る。例えば、疲れている時や上り坂を走っている時は歩幅が比較的小さく、元気である及び／又は下り坂を走っている時は歩幅が比較的大きい。そのような情報を平均化して走るコースの性質と比較することにより、ユーザはこの情報を、走行完了までどのくらいかかるかを推定するのに使用できる。計時センサ又は機構を加えることにより、このデータは水平の移動速度の統計的データを生成するのに更に分析され得る。
【００８５】
更に、水平突進に関する統計的データは２軸加速度計（Ｘ軸又はＹ軸、及びＺ軸に沿った加速度を計測する）により計測及び／又は感知された動作特性を３軸加速度計（Ｘ軸、Ｙ軸及びＺ軸のそれぞれに沿った加速度を計測する）により計測及び／又は感知された動作特性と比較することにより生成され得る。２軸のデータを３軸のデータから引くことにより、軸外の加速度データが決定され得る。そのようにＸ軸及びＹ軸に沿った加速度データを分離することにより、水平突進が効果的に決定され得る。上述のように、水平突進はスピードの平均速度（スポーツ選手は既に動いているか又は完全停止している）からの突然の加速として規定される。そのような突進は更に任意の方向ベクトル、北、南、東、西及びそれらの間のどこからでも規定され得る。突進アルゴリズムは、経時的な消費された力又は加速度を平均化する必要がある。
【００８６】
ほぼ同様の方法で、１つ又は複数のセンサ３５６からの動作特性は、例えばジャンプの数（ジャンプを構成するものの特性が効果的に構築された時）、ジャンプの高さ及び垂直の突進（即ち、離陸速度又はジャンプの加速度）といったスポーツ選手のほぼ垂直の移動に関する統計的データを生成するのに使用され得る。例えば、ジャンプを構成するもの及びジャンプの高さを効果的に決定するために、２軸加速度計からの情報（即ちＸ軸及びＹ軸に沿って）が３軸加速度計と比較され、その結果、軸外の動作（又は高さを計算する時の足の真実でない移動）が分析から除去され得る。
【００８７】
スポーツ選手のほぼ水平の移動及びスポーツ選手のほぼ垂直の移動の統計的データは結合され、例えば加速度の全体の数（水平及び垂直）といった追加の望ましい統計的データを生成し得る。加速度の数はゼロの運動量から、一定の速度又は一定の重力加速度範囲の異なる監視までで規定され得る。その後、任意の方向の速度の突然の増加が効果的に数値化され得る。そのような情報は、例えばアイス・ホッケーやバスケットボールのような一定の加速度に更に依存する特定のスポーツにおいてより重要であり得る。
【００８８】
更に、ジャイロメータ又は他の速度センサがスポーツ選手の角度のある、ひねり又は回転動作を分析するのに使用され得る。そのような分析において、真実の状態からのどれくらいの程度の角度のある動作又は回転がひねり又は回転として計測されると思われるかを数値化することが必要となり得る。
【００８９】
なお更に、上述のように、１つ又は複数のセンサ３５６により計測及び／又は感知される動作特性は、運動動作の間に消費されるエネルギー（例えばカロリーで）及び／又は運動動作の間に消費される力（例えばｐｓｉ、ｋｐｉ又は他の力の測定）に関連する統計的データを生成するのに更に使用され得る。消費されたエネルギー及び／消費された力に関連する任意の統計的データは、そのような統計的データが正確に生成されるように例えばスポーツ選手の体重のような情報を必要とし得ることが理解されるべきである。
【００９０】
表示画面３６６は、センサ・アセンブリ３１６内で感知、入力及び／又は生成された任意の及び全てのデータ及び情報を表示するのに使用される適切なサイズ及び形状の動画画面でもよい。より具体的には、表示装置３６６は、１つ又は複数のセンサ３５６により計測及び／又は感知された動作特性、スポーツ選手により入力機構３５８を介して（又は他の方法で）入力されたデータ又は情報、及びコントローラ３６４により感知及び入力されたデータから生成され得る任意の統計的データ点を表示するのに使用され得る。
【００９１】
電源３６８は１つ又は複数のセンサ３５６、入力機構３５８、記憶装置３６０、送信機３６２、コントローラ３６４及び／又は表示画面３６６に必要な電力を提供し得、これらの要素全てが望ましい機能を行えるようにする。一実施例において、電源３６８は、そのような必要な電力を提供するのに使用され得る、例えば充電池及び／又は使い捨ての電池のような１つ又は複数の電池（図示せず）を含み得る。又は、電源３６８は他の適切なデザインを有してもよい。
【００９２】
図４は図１に示されるセンサ・アセンブリ４１６の他の実施例の簡単な概略図である。この実施例において、センサ・アセンブリ４１６は図３に関して上記に図示されて記載されたセンサ・アセンブリ３１６と幾分似ている。例えば、センサ・アセンブリ４１６は再び、図３に関連して上記に図示されて記載されたアセンブリ本体３５４、１つ又は複数のセンサ３５６、入力機構３５８、記憶装置３６０、送信機３６２、コントローラ３６４、表示画面３６６及び電源３６８にデザイン及び機能において幾分似ている、アセンブリ本体４５４、１つ又は複数のセンサ４５６、入力機構４５８、記憶装置４６０、送信機４６２、コントローラ４６４、表示画面４６６及び電源４６８を含む。従って、アセンブリ本体４５４、１つ又は複数のセンサ４５６、入力機構４５８、記憶装置４６０、送信機４６２、コントローラ４６４、表示画面４６６及び電源４６８の様々な特徴及び態様は本明細書で詳細に説明しない。
【００９３】
しかし、この実施例において、図４に示すように、入力機構４５８、表示画面４６６及びコントローラ４６４はアセンブリ本体４５４から離間して、即ち遠隔装置４７０内に及び／又はそれに結合して配置される。例えば、入力機構４５８、表示画面４６６及びコントローラ４６４は、例えばスマート・フォン、コンピュータ及び／又は任意の他の適切なコンピュータ装置等の遠隔装置４７０内に含まれ得る及び／又はそれに結合され得る。このデザインにより、１つ又は複数のセンサ４５６により感知、計測及び／又は取り込まれる動作特性は記憶装置４６０内に記憶され得、その後送信機４６２を介してコントローラ４６４へ無線で送信され得、その結果より有効な統計的データがそのような動作特性から生成され得る。
【００９４】
一実施例において、例えばスマート・フォン等の遠隔装置４７０はセンサ・アセンブリ４１６への応用を含み、情報は分析、比較、記憶又は他の情報のためにウェブサイトへアップロードされ得る。
【００９５】
ある実施例において、遠隔装置４７０はブルートゥース機能を有し、消費者が通信して彼らの統計的データを１つ又は複数のプロのスポーツ選手と比較できるソーシャル・メディア態様を有する。この統計的データの比較は多くの異なるスポーツを統合できることが理解されるべきである。
【００９６】
表示画面４６６をアセンブリ本体４５４から離間した遠隔装置４７０内で及び／又はそれに結合して設けることにより、表示画面４６６は、感知、計測、入力、及び／又は生成された情報、データ、及び動作特性が見やすくなるよう通常大きくなり得ることも理解されるべきである。更に、コントローラ４６４をアセンブリ本体４５４から離間した遠隔装置４７０内で及び／又はそれに結合して設けることにより、コントローラ４６４はサイズの制限が少なくなり、よって増加した計算機能が提供できる。
【００９７】
更に、本明細書で上記に述べたように、ある実施例において、遠隔装置４７０はセンサ・アセンブリ４１６を使用して生成された任意の及び全てのデータを素早く容易にダウンロードするためにユーザが記憶装置４６０をＵＳＢポート４７１に簡単にプラグ・インできるようにするＵＳＢポート４７１又は他の適切な連結器を含み得る。そのようなデザインにより、ユーザは後でユーザの都合のいい時に任意及び全てのそのようなデータを見ることができる。
【００９８】
図５は図１に示された画像取込みアセンブリ５１８の実施例の簡単な概略図である。画像アセンブリ５１８のデザインは変化され得る。例えば、図５に示されるように、画像アセンブリ５１８はアセンブリ本体５７２、光学アセンブリ５７４、取込みシステム５７６（二点鎖線で示される）、記憶装置５７８（二点鎖線のボックスとして示される）、送信機５８０（二点鎖線のボックスとして示される）、コントローラ５８２（二点鎖線のボックスとして示される）及び電源５８４（二点鎖線のボックスとして示される）を含むデジタルカメラであり得る。これらの要素のデザインは画像アセンブリ５１８のデザイン要求及び種類に適合するため変化され得る。又は、画像アセンブリ５１８は１つ又は複数のこれらの要素無しでデザインされてもよい。
【００９９】
更に、ある代替の実施例では、画像アセンブリ５１８は運動動作の間のスポーツ選手の静止画を取り込むようにデザインされ得、及び／又は画像アセンブリ５１８は運動動作の間のスポーツ選手の動画シーケンスを取り込むようにデザインされ得る。更に、ある実施例では、画像アセンブリ５１８はスポーツ選手又は画像アセンブリ５１８の他のユーザにより手動で作動され得、及び／又は画像アセンブリ５１８は特定の移動又は試合の発生に基づき自動的に作動されるようにデザインされ得る。
【０１００】
この実施例に示されるように、光学アセンブリ５７４、取込みシステム５７６、記憶装置５７８、送信機５８０、コントローラ５８２及び電源５８４のそれぞれはアセンブリ本体５７２に結合され得る及び／又はアセンブリ本体５７２のほぼ中に位置し得る。又は、１つ又は複数の要素がアセンブリ本体５７２から離間して設けられ得る。
【０１０１】
アセンブリ本体５７２は剛性であり、例えば光学アセンブリ５７４、取込みシステム５７６、記憶装置５７８、送信機５８０、コントローラ５８２及び電源５８４等の画像アセンブリ５１８の他の要素の少なくともいくつかのためのハウジングを支持及び／又は提供し得る。一実施例において、アセンブリ本体５７２は画像アセンブリ５１８のそのような要素を受容及び保持する空洞を形成する全体に矩形形状の中空体を含む。
【０１０２】
光学アセンブリ５７４は単一のレンズ又は互いに協働して取込みシステム５７６の上に光を集束するレンズの組合せを含み得る。画像アセンブリ５１８はひも調節器１４に結合されるため、光学アセンブリ５７４はレンズが任意の望ましい方向から光を取込みシステム５７６上に集束させるように配置され方向づけられ得る。例えば、一実施例において、光学アセンブリ５７４はレンズがほぼ垂直方向から光を取込みシステム５７６上に集束させるように配置され方向づけられ得る、即ち光学アセンブリ５７４がひも調節器１４からほぼ上方に向けられる。付加的及び／又は代替的に、光学アセンブリ５７４はレンズがほぼ水平方向から及び／又は垂直方向と水平方向との間の任意の望ましい角度で光を取込みシステム５７６上に集束させるように配置され方向付けられてもよい。
【０１０３】
一実施例において、画像アセンブリ５１８は、例えばスポーツ選手等の主な対象のできるだけはっきりした画像が取込みシステム５７６により受容されるまで光学アセンブリ５７４の１つ又は複数のレンズを内外に動かす、１つ又は複数のレンズ移動機を含むオートフォーカス・アセンブリ（図示せず）を含む。
【０１０４】
取込みシステム５７６は運動動作の間、スポーツ選手の静止画及び／又は動画シーケンスの情報を取り込む。取込みシステム５７６のデザインは画像アセンブリ５１８の種類に応じて変化し得る。デジタルタイプのカメラでは、取込みシステム５７６は画像センサ（図示せず）及びフィルタ・アセンブリ（図示せず）を含み得る。
【０１０５】
取込みシステム５７６により取り込まれる静止画及び／又は動画シーケンスは画像アセンブリ５１８の記憶装置５７８内に記憶及び／又は保持され得る。記憶装置５７８はそのような静止画及び／又は動画シーケンスの記憶を可能にする任意の適切なデザインを有し得る。
【０１０６】
送信機５８０は記憶装置５７８内に記憶された静止画及び／又は動画シーケンスをコントローラ５８２及び／又は例えばテレビジョン、スマート・フォン及びコンピュータ等の遠隔画像装置５８６へ送信するのに使用され得る。送信機５８０は記憶装置５７８からコントローラ５８２及び／又は遠隔画像装置５８６への静止画及び／又動画シーケンスの効果的な送信を可能にする任意の適切なデザインを有し得る。又は、記憶装置５７８内に記憶された静止画及び／又は動画シーケンスは別個の送信機５８０を必要とせずにコントローラ５８２へ送信され得る。
【０１０７】
コントローラ５８２は電気的に接続されて画像アセンブリ５１８の電気部品の動作を制御する。コントローラ５８２は１つ又は複数のプロセッサ及び回路を含み得、コントローラ５８２は本明細書に記載された１つ又は複数の機能を実行するようプログラムされ得る。例えば、コントローラ５８２は取込みシステム５７６により取り込まれたスポーツ選手の静止画及び／又は動画シーケンスの様々な処理ステップを実行するのに使用され得る。
【０１０８】
図示のように、コントローラ５８２はアセンブリ本体５７２内に配置され得る。付加的及び／又は代替的に、コントローラ５８２及び／又は別個の第２のコントローラは、例えば遠隔画像装置５８６の中といった画像アセンブリ５１８から離間して配置され得る。
【０１０９】
電源５８４は光学アセンブリ５７４、取込みシステム５７６、記憶装置５７８、送信機５８０及び／又はコントローラ５８２に必要な電力を提供し、これらの要素の全てが望ましい機能を実行できるようにし得る。一実施例において、電源５８４は、それらの必要な電力を提供するのに使用され得る例えば充電池及び／又は使い捨ての電池といった１つ又は複数の電池（図示せず）を含み得る。又は、電源５８４は他の適切なデザインを有してもよい。
【０１１０】
画像センブリ５１８及びセンサ・アセンブリ３１６の両方を含むひも調節器アセンブリ１２の実施例において、送信機５８０、コントローラ５８２及び／又は電源５８４は、画像アセンブリ５１８及びセンサ・アセンブリ３１６のそれぞれに共通して使用され得ることが理解されるべきである。又は、そのような実施例において、画像アセンブリ５１８及びセンサ・アセンブリ３１６は別個の送信機、コントローラ及び／又は電源を含み且つ使用してもよい。
【０１１１】
更に、画像アセンブリ５１８及びセンサ・アセンブリ３１６の両方を含むひも調節器アセンブリ１２の一実施例において、画像アセンブリ５１８及びセンサ・アセンブリ３１６の様々な要素が共通のアセンブリ本体に結合され得る及び／又はそのほぼ中に配置され得る。
【０１１２】
更に、図５に示されて且つ上述のように、画像アセンブリ５１８は遠隔の画像装置５８６に無線で結合され得る。例えば、ある実施例において、画像アセンブリ５１８の送信機５８０はスポーツ選手の静止画及び動画シーケンスをワイファイ、ブルートゥース（登録商標）又は他の適切な無線技術を介して遠隔画像装置５８６へ無線で送信するようにデザインされ得る。
【０１１３】
遠隔画像装置５８６のデザインは変化され得る。この実施例に示されるように、遠隔画像装置５８６は画像表示画面５８８、遠隔記憶装置５９０（二点鎖線のボックスとして示される）、遠隔装置コントローラ５９２（二点鎖線のボックスとして示される）及び遠隔装置電源５９４（二点鎖線のボックスとして示される）を含み得る。又は、遠隔画像装置５８６は本明細書に具体的に図示されて記載されるものより多い又は少ない要素を有するようにデザインされてもよい。ある非排他的な代替の実施例において、遠隔画像装置５８６は、テレビジョン、スマート・フォン、コンピュータ及び／又はスポーツ選手の静止画及び／又は動画シーケンスを表示する他の適切な装置を備えてもよい。例えば、そのようなある実施例では、静止画及び／又は動画シーケンスは、テレビジョンで、（適切なアップロード後に）ウェブサイトで、及び／又はスマート・フォン・アプリケーションを介して視聴又は表示されてもよい。
【０１１４】
画像表示画面５８８は、運動動作の間に画像アセンブリ５１８により取り込まれたスポーツ選手の静止画及び／又は動画シーケンスを視聴する目的で提供される。画像表示画面５８８をアセンブリ本体５７２から離間した遠隔画像装置５８６内で及び／又はそれに結合して設けることにより、画像表示画面５８８は、運動動作の間に画像アセンブリ５１８により取り込まれたスポーツ選手の静止画及び／又は動画シーケンスがより見やすくなるよう通常実質的により大きくなり得ることも理解されるべきである。
【０１１５】
遠隔記憶装置５９０及び遠隔装置コントローラ５９２は、画像アセンブリ５１８のアセンブリ本体５７２に結合される又はそのほぼ中に配置される記憶装置５７８及びコントローラ５８２と本質的に同じ機能を行うようにデザインされ得る。更に、遠隔記憶装置５９０及び遠隔装置コントローラ５９２をアセンブリ本体５７２から離間した遠隔画像装置５８６内で及び／又はそれに結合して設けることにより、遠隔記憶装置５９０及び遠隔装置コントローラ５９２はサイズの制限が少なくなり、よって増加した画像記憶及び画像処理機能が提供できる。
【０１１６】
ある実施例において、スポーツ選手の静止画及び／又は動画シーケンスは遠隔画像装置５８６の画像表示画面５８８に生で示され得、及び／又はそのような静止画及び動画シーケンスは将来の視聴のため遠隔記憶装置５９０に保存され得る。
【０１１７】
遠隔装置電源５９４は画像表示画面５８８、遠隔記憶装置５９０及び／又は遠隔装置コントローラ５９２へ必要な電力を提供し得、これらの要素の全てが望ましい機能を実行できるようにする。一実施例において、遠隔装置電源５９４は、それらの必要な電力を提供するのに使用され得る例えば充電池及び／又は使い捨ての電池といった１つ又は複数の電池（図示せず）を含み得る。又は、遠隔装置電源５９４は他の適切なデザインを有してもよい。
【０１１８】
図６Ａから６Ｇは本発明の特徴を有するひも調節器アセンブリ６１２の他の実施例の代替の図である。特に、図６Ａは本発明の特徴を有するひも調節器アセンブリ６１２の他の実施例の斜視図であり、図６Ｂは図６Ａに示されたひも調節器アセンブリの前面図であって、ひも調節器アセンブリ６１２はロック解除構成にあるひも調節器６１４を含む図であり、図６Ｃは図６Ａに示されたひも調節器アセンブリ６１２の前面図であり、ひも調節器６１４がロック構成にある図であり、図６Ｄは図６Ａに示されたひも調節器アセンブリ６１２の前面図であり、ひも調節器６１４が一部ロック構成にある図であり、図６Ｅは図６Ａに示されたひも調節器アセンブリ６１２の側面図であり、図６Ｆは図６Ａに示されたひも調節器アセンブリ６１２の後面図であり、図６Ｇは図６Ａに示されたひも調節器アセンブリ６１２の分解図である。
【０１１９】
ひも調節器アセンブリ６１２のデザインは変化され得る。図６Ａから図６Ｇに示される実施例において、ひも調節器アセンブリ６１２はひも調節器６１４及びひも調節器６１４に結合される及び／又はその中で固定されるセンサ・アセンブリ６１６（図６Ｇに示される）を含む。付加的及び／又は代替的に、ひも調節器アセンブリ６１２は本明細書で具体的に図示されて記載されたものより多い要素又は少ない要素を有してもよい。例えば、ある非排他的な代替の実施例において、ひも調節器アセンブリ６１２は更に任意の適切な方法でひも調節器６１４に結合される画像取込みアセンブリ（本明細書において上記に図示されて記載されたものと同様の）を含んでもよく、及び／又はひも調節器アセンブリ６１２はセンサ・アセンブリ６１６無しでデザインされてもよい。
【０１２０】
上述の通り、ひも調節器６１４は靴１０（図１に示される）の靴ひも１１（図１に示される）を容易に素早く締める又は緩めるのに使用され得る。図６Ａから図６Ｇに示すように、ひも調節器６１４は、第１の本体部材６２１及び第２の本体部材６２２と、第１の弾性挿入アセンブリ６２３Ａ（図６Ｇに示される）と、第２の弾性挿入アセンブリ６２３Ｂ（図６Ｇに示される）と、調節器カバー・プレート６２６とを含む調節器本体センブリ６２０（本明細書では簡単に「本体アセンブリ」とも言う）を備える。ひも調節器６１４の要素のそれぞれのデザイン及び位置は本明細書に提供される教示に従い変化され得る。更に、ひも調節器６１４は上記に挙げた１つ又は複数の要素無しでデザインされてもよい。例えば、ひも調節器６１４は調節器カバー・プレート６２６無しでデザインされてもよい。
【０１２１】
前の実施例と同様に、ひも調節器６１４はロック解除構成（例えば図６Ｂに示される）とロック構成（例えば図６Ｃに示される）との間で選択的に移動されるように構成される。更に、この実施例において、ひも調節器６１４は部分的なロック構成（例えば図６Ａ及び図６Ｄから図６Ｆに示される）に配置され得る。より詳細には、この実施例において、弾性挿入アセンブリ６２３Ａ、６２３Ｂのそれぞれはロック位置とロック解除位置との間で互いに独立して移動され得、その結果靴ひも１１はそれぞれの側で独立して選択的に調節され得る。例えば、図６Ａ及び図６Ｄから図６Ｆのそれぞれにおいて、第１の弾性挿入アセンブリ６２３Ａはロック位置にあり第２の弾性挿入アセンブリ６２３Ｂはロック解除位置にある。
【０１２２】
この実施例において、本体アセンブリ６２０の第１の本体部材６２１及び第２の本体部材６２２は選択的に共に結合され、その中に空洞６９５（図６Ｇに示される）を形成し、センサ・センブリ６１６は空洞６９５の中に固定される。 
【０１２３】
図６Ｇを参照し、この実施例において、第１の本体部材６２１は部材基部６２１Ａ、及び部材基部６２１Ａの内面から離間して空洞６９５内への片持ち梁形式となる一対のほぼ円筒形の部材突起６２１Ｂを含む。図示のように、部材基部６２１Ａは丸い、半楕円形状の基部前面６２１ＡＡと、ほぼ平坦又は僅かに湾曲する基部後面６２１ＡＢを含み、基部後面６２１ＡＢは靴１０に対向し靴１０に対して安定して配置されるようにデザインされる。
【０１２４】
更に、図示のように、部材突起６２１Ｂのそれぞれは部材突起６２１Ｂを完全貫通して延伸する一対の突起開口６９６を含む。突起開口６９６は、本明細書で以下により詳細に記載されるように、使用の間靴ひも１１の一部を受容及び保持するようになされる。
【０１２５】
図６Ａを参照し、第２の本体部材６２２はほぼ半楕円形状であり得、第１の本体部材６２１の一部に直接当接するようにデザインされるほぼ平坦な上面６２２Ａと円形の底面６２２Ｂとを有する。更に、第２の本体部材６２２も部材基部６２１Ａの基部前面６２１ＡＡに適合する丸い、半楕円形状の前面６２２Ｃと、部材基部６２１Ａの基部後面６２１ＡＢに適合するほぼ平坦又は僅かに湾曲する後面６２２Ｄ（図６Ｆによりはっきりと示される）とを含み、後面６２２Ｄは靴１０に対向し靴１０に対して安定して配置されるようにデザインされる。
【０１２６】
更に、図に示されるように、本体アセンブリ６２０は複数の前面本体開口６９７（例えば図６Ｂに４つ示される）及び複数の後面本体開口６９８（図６Ｆに４つ示される）を含む。本体アセンブリ６２０は本体部材６２１、６２２が共に結合されると前面本体開口６９７が後面本体開口６９８と整列するように構成される。更に、本体部材６２１、６２２が共に結合されると突起開口６９６も前面本体開口６９７及び背面本体開口６９８に整列する。
【０１２７】
前面本体開口６９７と後面本体開口６９８の数は変化され得ることが理解されるべきである。別の言い方をすると、本体アセンブリ６２０は４つより多い若しくは４つより少ない前面本体開口６９７を含んでもよく、及び／又は本体アセンブリ６２０は４つより多い若しくは４つより少ない後面本体開口６９８を含んでもよい。
【０１２８】
上述の通り、弾性挿入アセンブリ６２３Ａ、６２３Ｂはロック位置とロック解除位置との間で選択的に且つ独立して移動されるようになされ、その結果ひも調節器６１４をロック構成とロック解除構成との間で移動させる。弾性挿入アセンブリ６２３Ａ、６２３Ｂのデザインはひも調節器６１４の要求に適合するため変化され得る。ある実施例において、図６Ｇに示されるように、弾性挿入アセンブリ６２３Ａ、６２３Ｂは互いにほぼ同じであり、ほぼ円筒形形状のアセンブリ・シャフト６２３Ｃとアセンブリ・シャフト６２３Ｃに結合される弾性部材６２３Ｄとを含み得る。
【０１２９】
アセンブリ・シャフト６２３Ｃは部材突起６２１Ｂに嵌められその中で移動するようなサイズ及び形状である。図６Ｇに示すように、アセンブリ・シャフト６２３Ｃのそれぞれはアセンブリ・シャフト６２３Ｃを完全貫通して延伸する一対のシャフト開口６９９を含む。
【０１３０】
本明細書で提供されるように、弾性挿入アセンブリ６２３Ａ、６２３Ｂがロック解除構成にある時、シャフト開口６９９は前面本体開口６９７、後面本体開口６９８及び突起開口６９６にほぼ整列し、その結果靴ひも１１は前面本体開口６９７、後面本体開口６９８、突起開口６９６及びシャフト開口６９９を完全貫通して容易且つ効果的に通され、及び／又はそれらから除去される。反対に、弾性挿入アセンブリ６２３Ａ、６２３Ｂがロック構成にある時、シャフト開口６９９は前面本体開口６９７、後面本体開口６９８及び突起開口６９６に整列せず、その結果靴ひも１１は開口を通って容易に移動できない。よって、靴ひも１１が開口を貫通して通される時、弾性挿入アセンブリ６２３Ａ、６２３Ｂの１つ又は両方がロック位置に移動され得、その結果靴ひも１１が効果的に定位置に保持される。
【０１３１】
弾性挿入アセンブリ６２３Ａ、６２３Ｂのそれぞれの弾性部材６２３Ｄは、アセンブリ・シャフト６２３Ｃと第２の本体部材６２２の一部との間で結合されて延伸する。弾性部材６２３Ｄのデザインはひも調節器６１４の要求に応じて変化され得る。例えば、図６Ｇに示されるように、弾性部材６２３Ｄはばねである。又は、弾性部材６２３Ｄは弾性材料の別の部材でもよい。一実施例において、弾性部材６２３Ｄはアセンブリ・シャフト６２３Ｃをロック位置に押す。他の言い方をすると、弾性部材６２３Ｄはアセンブリ・シャフト６２３Ｃをロック位置に付勢する。又は、弾性部材６２３Ｄはアセンブリ・シャフト６２３Ｃをロック解除位置に押すようにデザインされ得る。そのような代替の実施例において、ひも調節器６１４はアセンブリ・シャフト６２３Ｃをロック位置に保持するロック機構（図示せず）を更に要求することになる。これらの代替の実施例において、弾性部材６２３Ｄは、アセンブリ・シャフト６２３Ｃがロック位置とロック解除位置との間で移動される時、伸長又は収縮される。
【０１３２】
調節器カバー・プレート６２６は本体アセンブリ６２０に結合され得る。更に、調節器カバー・プレート６２０はより興味深い外観をひも調節器６１４に与えるためデザイン６５２を含み得る。
【０１３３】
図６Ｇを再び参照し、センサ・アセンブリ６１６は第１の本体部材６２１と第２の本体部材６２２との間で形成される空洞６９５内に嵌められ且つ固定できるようにはっきりと図示される。センサ・アセンブリ６１６のデザインは変化され得る。センサ・アセンブリ６１６は本明細書で上記に図示されて記載されたセンサ・アセンブリ３１６、４１６と幾分同様の方法でデザインされ得ることが理解されるべきである。例えば、図６Ｇに示される実施例では、センサ・アセンブリ６１６は上記に図示されて記載された同様の名前の要素とデザイン及び機能において幾分同様であるアセンブリ本体６５４（例えば第１のハウジング部材６５４Ａと第２のハウジング部材６５４Ｂ）、１つ又は複数のセンサ６５６、記憶装置６６０、送信機６６２、コントローラ６６４及び電源６６８を含む。よって、そのような要素の詳細な記載は本明細書において繰り返さない。更に、図４に示された実施例と同様に、表示画面４６６（図４に示される）及び入力機構４５８（図４に示される）はサイズ及び複雑さにおいて特定の利点を提供するように遠隔装置４７０（図４に示される）内に含まれ得る。
【０１３４】
図７Ａは本発明の特徴を有するひも調節器アセンブリ７１２の更に他の実施例の前面斜視図である。ひも調節器アセンブリ７１２のデザインは変化され得る。図７Ａに示される実施例において、ひも調節器アセンブリ７１２は、ひも調節器７１４と、ひも調節器７１４に結合される及び／又はその中に固定されるセンサ・アセンブリ７１６（図７Ｄに示される）とを含む。付加的及び／又は代替的に、ひも調節器アセンブリ７１２は本明細書で具体的に図示されて記載されたものより多い要素又は少ない要素を有してもよい。例えば、ある非排他的な代替の実施例では、ひも調節器アセンブリ７１２は更に任意の適切な方法でひも調節器７１４に結合された画像取込みアセンブリ（図示せず）を含んでもよく、及び／又はひも調節器アセンブリ７１２はセンサ・アセンブリ７１６無しでデザインされてもよい。
【０１３５】
上記のように、ひも調節器７１４は、靴１０（図１に示される）の靴ひも１１（図１に示される）を容易に且つ素早く締める又は緩めるのに使用され得る。ある実施例では、ひも調節器７１４は、第１の本体部材７２１及び第２の本体部材７２２（図７Ｂによりはっきりと示される）と、弾性挿入アセンブリ７２３とを含む調節器本体アセンブリ７２０（本明細書では簡単に「本体アセンブリ」とも言う）を含む。ひも調節器７１４の要素のそれぞれのデザイン及び位置は本明細書に提供される教示に従って変化され得る。付加的及び／又は代替的に、ひも調節器７１４は上記に挙げたものより多い又は少ない要素を有してデザインされてもよい。
【０１３６】
図７Ａに示された実施例において、第１の本体部材７２１は透明であるとして示され、その結果センサ・アセンブリ７１６はひも調節器７１４の外から容易に見られる。そのようなデザインにより、ひも調節器７１４は更にこれも本体アセンブリ７２０内で保持される画像アセンブリ（図示せず）を含み得る。付加的及び／又は代替的に、第２の本体部材７２２も透明であってもよく、又は本体アセンブリ７２０は、本体部材７２１も７２２も透明でないようにデザインされてもよい。
【０１３７】
前の実施例と同様に、ひも調節器７１４はひもが自由に動くロック解除構成（例えば図７Ａ及び図７Ｂに示される）とひもがロックされるロック構成（例えば図７Ｃに示される）との間で選択的に移動するように構成される。尚、ある実施例では、ひもの端部は保持されない。しかし、図７Ａに示される実施例はひもの端部を保持するように修正されてもよい。
【０１３８】
ある実施例において、本体アセンブリ７２０の第１の本体部材７２１及び第２の本体部材７２２は選択的に共に結合されてその中に空洞（図示せず）を形成し、センサ・アセンブリ７１６は空洞内に固定される。
【０１３９】
更に、図７Ａに示されるように、本体アセンブリ７２０、即ち第１の本体部材７２１は複数の前面本体開口７９７（図７Ａでは２つが示される）を含む。前面本体開口７９７の数は変化され得ることが理解されるべきである。他の言い方をすると、第１の本体部材７２１は２つより多い又は２つより少ない前面本体開口７９７を含んでもよい。
【０１４０】
図７Ｂは図７Ａに示されるひも調節器アセンブリ７１２の後面斜視図である。図示されるように、ひも調節器７１４は再びロック解除構成にある。更に、図７Ｂに示されるように、本体アセンブリ７２０、即ち第２の本体部材７２２は複数の後面本体開口７９８（図７Ｂでは２つが示される）を含む。本体アセンブリ７２０は、本体部材７２１、７２２が共に結合されると前面本体開口７９７が後面本体開口７９８と整列するように構成される。後面本体開口７９８の数は変化され得ることが理解されるべきである。他の言い方をすると、第２の本体部材７２２は２つより多い又は２つより少ない後面本体開口７９８を含んでもよい。
【０１４１】
上述の通り、図７Ａはひも調節器７１４がロック解除構成にあることを示す。更に、図７Ｃは図７Ａに示されるひも調節器アセンブリ７１２の前面斜視図であり、ひも調節器７１４がロック構成にある。図示されるように、ひも調節器７１４がロック解除構成とロック構成との間で移動できるように、弾性挿入アセンブリ７２３がロック解除位置（図７Ａに示される）とロック位置（図７Ｃに示される）との間で選択的に移動するようになされる。
【０１４２】
更に、図７Ｄは図７Ａに示されるひも調節器アセンブリ７１２の部分分解図である。
【０１４３】
弾性挿入アセンブリ７２３のデザインはひも調節器７１４の要求に適合するため変化され得る。ある実施例では、弾性挿入アセンブリ７２３はほぼ円筒形形状（又は他の形状）のアセンブリ・シャフト７２３Ａとアセンブリ・シャフト７２３Ａに結合される弾性部材７２３Ｂとを含み得る。図７Ｄに示されるように、アセンブリ・シャフト７２３Ａは複数のシャフト開口７９９（図７Ｄに２つが示される）を含み得る。シャフト開口７９９の数は変化され得ることが理解されるべきである。他の言い方をすると、アセンブリ・シャフト７２３Ａは２つより多い又は２つより少ないシャフト開口７９９を含んでもよい。
【０１４４】
更に、シャフト開口７９９の形状は所望の通りに変化され得ることが理解されるべきである。例えば、図示のように、シャフト開口７９９はひも調節器７１４がロック構成にある時靴ひも１１（図１に示される）をより効果的に保持するのに使用され得る１つ又は複数の歯型の突起を含み得る。又は、シャフト開口７９９は他の適切なデザインを有してもよい。
【０１４５】
本明細書で提供されるように、弾性挿入アセンブリ７２３がロック解除位置にある時、シャフト開口７９９は前面本体開口７９７及び後面本体開口７９８とほぼ整列し、その結果靴ひも１１（図１に示される）が前面本体開口７９７、後面本体開口７９８及びシャフト開口７９９を完全貫通して容易且つ効果的に通され得る、及び／又はそれらから除去され得る。反対に、弾性挿入アセンブリ７２３がロック位置にある時、シャフト開口７９９は前面本体開口７９７及び後面本体開口７９８と整列せず、その結果靴ひも１１は開口を通って容易に移動できない。よって、靴ひも１１が開口を貫通して通されると、弾性挿入アセンブリ７２３はロック位置に移動され得、その結果靴ひも１１が効果的に定位置に保持される。
【０１４６】
弾性挿入アセンブリ７２３の弾性部材７２３Ｂはアセンブリ・シャフト７２３Ａと本体アセンブリ７２０の一部とに結合されてそれらの間を延伸する。弾性部材７２３Ｂのデザインはひも調節器７１４の要求に応じて変化され得る。例えば、ある実施例では、弾性部材７２３Ｂはばねである。又は、弾性部材７２３Ｂは弾性材料の別の部材でもよい。一実施例において、弾性部材７２３Ｂはアセンブリ・シャフト７２３Ａをロック位置に押す。他の言い方をすると、弾性部材７２３Ｂはアセンブリ・シャフト７２３Ａをロック位置に付勢する。又は、弾性部材７２３Ｂはアセンブリ・シャフト７２３Ａをロック解除位置に押すようにデザインされてもよい。そのような代替の実施例において、ひも調節器７１４は更にアセンブリ・シャフト７２３Ａをロック位置に維持するロック機構（図示せず）を必要ことになる。これらの代替の実施例において、弾性部材７２３Ｂは、アセンブリ・シャフト７２３Ａがロック位置とロック解除位置との間で移動する時、延伸又は圧縮される。
【０１４７】
図７Ａを再び参照し、センサ・アセンブリ７１６は、第１の本体部材７２１と第２の本体部材７２２との間に形成された空洞に嵌められてその中で固定できるものとしてはっきりと示される。センサ・アセンブリ７１６のデザインは変化され得る。センサ・アセンブリ７１６は本明細書で上記に図示されて記載されたセンサ・アセンブリ３１６、４１６とほぼ同様の方法でデザインされ得ることが理解されるべきである。よって、センサ・アセンブリ７１６の様々な要素の詳細な説明は本明細書で繰り返さない。更に、図４に示された実施例と同様に、センサ・アセンブリ７１６はサイズ及び複雑さにおいて特定の利点を提供するように遠隔装置４７０（図４に示される）内で使用され得る。
【０１４８】
ひも調節器アセンブリ１２、即ちひも調節器１４、センサ・アセンブリ１６及び画像アセンブリ１８の多数の異なる実施例が本明細書において図示されて記載されたが、任意の一実施例の１つ又は複数の特徴は、そのような組合せが本発明の意図を満足する場合、１つ又は複数の他の実施例の１つ又は複数の特徴と組み合わされてもよいことが理解される。
【０１４９】
ひも調節器アセンブリ１２、即ちひも調節器１４、センサ・アセンブリ１６及び画像アセンブリ１８の多数の例示的な態様及び実施例が本明細書において上記に図示されて開示されたが、当業者はそれらの特定の修正、変形、追加又は副結合を認識するであろう。よってひも調節器１４、センサ・アセンブリ１６及び画像アセンブリ１８はそれらの真実の精神及び範囲内のものとしてそのような修正、変形、追加及び副結合の全てを含むと解釈されるべきであり、本明細書に示される構造又はデザインの詳細に対し制限を設けるつもりはないことが意図される。
【図１】
0006758193.tif 000002
【図２Ａ】
0006758193.tif 000003
【図２Ｂ】
0006758193.tif 000004
【図２Ｃ】
0006758193.tif 000005
【図２Ｄ】
0006758193.tif 000006
【図２Ｅ】
0006758193.tif 000007
【図２Ｆ】
0006758193.tif 000008
【図２Ｇ】
0006758193.tif 000009
【図３】
0006758193.tif 000010
【図４】
0006758193.tif 000011
【図５】
0006758193.tif 000012
【図６Ａ】
0006758193.tif 000013
【図６Ｂ】
0006758193.tif 000014
【図６Ｃ】
0006758193.tif 000015
【図６Ｄ】
0006758193.tif 000016
【図６Ｅ】
0006758193.tif 000017
【図６Ｆ】
0006758193.tif 000018
【図６Ｇ】
0006758193.tif 000019
【図７Ａ】
0006758193.tif 000020
【図７Ｂ】
0006758193.tif 000021
【図７Ｃ】
0006758193.tif 000022
【図７Ｄ】
0006758193.tif 000023